(57)【要約】【課題】プラントで実施されるサーベイランス試験において、試験対象機器の時間計測データの計測精度を低下させることなく、より簡易な構成で安価にサーベイランス試験を行うことが可能なサーベイランス試験装置およびサーベイランス試験方法である。【解決手段】サーベイランス試験装置１０は、プロセスデータ入力装置部１１と、サーベイランス試験制御部１２と、高速通信ネットワーク１３とを具備する。プロセスデータ入力装置部１１は、プロセスデータ入力部１４と、プロセスデータ送信部１５とを備える一方、サーベイランス試験制御部１２は、プロセスデータ受信部１６と、プロセスデータ保存部１７と、サーベイランス試験手順情報を保存する試験手順データベース２１と、時間計測項目情報を保存する時間計測項目データベース２２と、サーベイランス試験の進行状況を制御する試験進行制御部２０と、時間計測処理を実行する時間計測部１８と、試験進行制御部２０に試験進行要求情報を与える試験進行表示部１９とを備える。【選択図】  図１
2005025631.tif 000002
【特許請求の範囲】
【請求項１】
プロセスデータ入力装置部と、サーベイランス試験制御部と、前記サーベイランス試験制御部と前記プロセスデータ入力装置部とを接続する高速通信ネットワークとを具備し、前記プロセスデータ入力装置部は、プラントにおいてサーベイランス試験の対象となる試験対象機器に設けられたプラントセンサからプロセスデータを入力するプロセスデータ入力部と、このプロセスデータ入力部から前記プロセスデータを受けて前記高速通信ネットワークを介して前記サーベイランス試験制御部に送信するプロセスデータ送信部とを備える一方、前記サーベイランス試験制御部は、前記プロセスデータ送信部から送信された前記プロセスデータを受信するプロセスデータ受信部と、このプロセスデータ受信部により受信された前記プロセスデータを保存するプロセスデータ保存部と、前記試験対象機器についてのサーベイランス試験手順情報を保存する試験手順データベースと、前記サーベイランス試験において計測すべきデータ項目に時間を有する前記試験対象機器の種類についての時間計測項目情報を保存する時間計測項目データベースと、前記サーベイランス試験の進行状況を制御する試験進行制御部と、前記試験対象機器の動作時間についての時間計測処理を実行する時間計測部と、前記試験進行制御部から所要の情報を受けて表示させる一方、前記試験進行制御部に試験進行要求情報を与える試験進行表示部とを備え、前記試験進行制御部は、前記試験進行表示部から試験進行要求情報を受けると前記試験手順データベースを参照して前記サーベイランス試験手順情報を前記試験進行表示部に与えるとともに前記試験対象機器の動作時間計測が必要な場合には、時間計測要求情報を前記時間計測部に与え、さらに前記時間計測部からは前記試験対象機器の時間計測データを、前記プロセスデータ保存部からは前記プロセスデータをそれぞれ入力して前記試験進行表示部に与える一方、前記時間計測部は、前記試験進行制御部から前記時間計測要求情報を受けると前記時間計測項目データベースの前記時間計測項目情報を参照し、前記プロセスデータ保存部の前記プロセスデータに基づいて前記試験対象機器の動作時間を計測して前記時間計測データとして前記試験進行制御部に与えるように構成したことを特徴とするサーベイランス試験装置。
【請求項２】
プロセスデータ入力装置部と、サーベイランス試験制御部と、前記サーベイランス試験制御部と前記プロセスデータ入力装置部とを接続するネットワークとを具備し、前記プロセスデータ入力装置部は、プラントにおいてサーベイランス試験の対象となる試験対象機器に設けられたプラントセンサからプロセスデータを入力するプロセスデータ入力部と、前記サーベイランス試験において計測すべきデータ項目に時間を有する前記試験対象機器の種類についての時間計測項目情報を保存する第１の時間計測項目データベースと、この第１の時間計測項目データベースの前記時間計測項目情報を参照し、前記プロセスデータ入力部から前記プロセスデータを受けて前記試験対象機器の動作時間についての時間計測処理を実行することにより時間計測データを得る時間計測部と、この時間計測部からは前記時間計測データを、前記プロセスデータ入力部からは前記プロセスデータをそれぞれ受けてネットワークを介して前記サーベイランス試験制御部に送信するデータ送信部とを備える一方、前記サーベイランス試験制御部は、前記データ送信部から送信された前記プロセスデータおよび前記時間計測データを受信するデータ受信部と、このデータ受信部により受信された前記プロセスデータを保存するプロセスデータ保存部と、前記データ受信部により受信された前記時間計測データを保存する時間計測データ保存部と、前記試験対象機器についてのサーベイランス試験手順情報を保存する試験手順データベースと、前記時間計測項目情報を保存する第２の時間計測項目データベースと、前記サーベイランス試験の進行状況を制御する試験進行制御部と、前記試験進行制御部から所要の情報を受けて表示させる一方、前記試験進行制御部に試験進行要求情報を与える試験進行表示部と、前記第２の時間計測項目データベースの前記時間計測項目情報を参照し、前記時間計測データ保存部から前記時間計測データを抽出して前記試験進行制御部に与える時間計測データ取出部とを備え、前記試験進行制御部は、前記試験進行表示部から試験進行要求情報を受けると前記試験手順データベースを参照して前記サーベイランス試験手順情報を前記試験進行表示部に与えるとともに前記試験対象機器の動作時間計測が必要な場合には、前記時間計測データ取出部から前記時間計測データを入力する一方、前記プロセスデータ保存部からは前記プロセスデータを入力し、入力した前記プロセスデータおよび前記時間計測データをそれぞれ前記試験進行表示部に与えるように構成したことを特徴とするサーベイランス試験装置。
【請求項３】
プロセスデータ入力装置部と、サーベイランス試験制御部と、前記サーベイランス試験制御部と前記プロセスデータ入力装置部とを接続するネットワークとを具備し、前記プロセスデータ入力装置部は、プラントにおいてサーベイランス試験の対象となる試験対象機器に設けられたプラントセンサからプロセスデータを入力するプロセスデータ入力部と、前記サーベイランス試験において計測すべきデータ項目に時間を有する前記試験対象機器の種類についての時間計測項目情報を保存する第１の時間計測項目データベースと、この第１の時間計測項目データベースの前記時間計測項目情報を参照し、前記プロセスデータ入力部から前記プロセスデータを受けて前記試験対象機器の動作時間についての時間計測処理を実行することにより時間計測データを得る時間計測部と、この時間計測部からは前記時間計測データを、前記プロセスデータ入力部からは前記プロセスデータをそれぞれ受けて前記ネットワークを介して前記サーベイランス試験制御部に送信し、かつ前記時間計測項目情報を前記サーベイランス試験制御部から受信して第１の時間計測項目データベースの前記時間計測項目情報を更新する第１のデータ送受信部とを備える一方、前記サーベイランス試験制御部は、前記第１のデータ送受信部から送信された前記プロセスデータおよび前記時間計測データを受信し、かつ前記第１のデータ送受信部に前記時間計測項目情報を送信する第２のデータ送受信部と、この第２のデータ送受信部により受信された前記プロセスデータを保存するプロセスデータ保存部と、前記第２のデータ送受信部により受信された前記時間計測データを保存する時間計測データ保存部と、試験対象機器についてのサーベイランス試験手順情報を保存する試験手順データベースと、前記時間計測項目情報を保存する第２の時間計測項目データベースと、時間計測項目情報送信要求に対応する前記時間計測項目情報を前記第２の時間計測項目データベースから入力して前記第２のデータ送受信部に与える時間計測項目送信部と、前記サーベイランス試験の進行状況を制御する試験進行制御部と、前記試験進行制御部から所要の情報を受けて表示させる一方、前記試験進行制御部に試験進行要求情報を与える試験進行表示部と、前記第２の時間計測項目データベースの前記時間計測項目情報を参照し、前記時間計測データ保存部から前記時間計測データを抽出して前記試験進行制御部に与える時間計測データ取出部とを備え、前記試験進行制御部は、前記試験進行表示部から試験進行要求情報を受けると前記試験手順データベースを参照して前記サーベイランス試験手順情報を前記試験進行表示部に与え、前記試験対象機器の動作時間計測が必要な場合には、前記時間計測項目送信部に前記時間計測項目情報の送信を要求し、さらに前記時間計測データ取出部から前記時間計測データを入力する一方、前記プロセスデータ保存部からは前記プロセスデータを入力し、入力した前記プロセスデータおよび前記時間計測データをそれぞれ前記試験進行表示部に与えるように構成したことを特徴とするサーベイランス試験装置。
【請求項４】
前記試験進行表示部から情報編集要求を受けて、前記試験手順データベースの前記サーベイランス試験手順情報および前記時間計測項目データベースの前記時間計測項目情報の少なくとも一方を編集する試験手順編集部を設けたことを特徴とする請求項１ないし３のいずれか１項に記載のサーベイランス試験装置。
【請求項５】
前記サーベイランス試験を中断した際の試験実行情報を保存する試験実行情報データベースと、前記試験進行表示部から進行中のサーベイランス試験を中断すべき旨の試験中断要求情報を受けた場合には、前記試験進行制御部に前記試験中断要求情報を与えることにより前記サーベイランス試験を中断すべき旨の要求を通知し、前記試験進行制御部から前記試験実行情報を受けて前記試験実行情報データベースに入力する一方、前記試験進行表示部から中断状態にあるサーベイランス試験を再開すべき旨の試験再開要求情報を受けた場合には、前記試験実行情報データベースから前記試験実行情報を入力して試験再開要求情報とともに前記試験進行制御部に与えることにより中断したサーベイランス試験の残りの作業を再開すべき旨を通知する試験実行情報保存復元部１１０を設けたことを特徴とする請求項１ないし３のいずれか１項に記載のサーベイランス試験装置。
【請求項６】
前記試験手順データベースの前記サーベイランス試験手順情報に基づいて対応する前記試験対象機器の擬似的な前記プロセスデータであるシミュレーションデータを作成することにより前記サーベイランス試験のシミュレーションを実行させるシミュレーション操作制御部を設けたことを特徴とする請求項１ないし３のいずれか１項に記載のサーベイランス試験装置。
【請求項７】
前記サーベイランス試験制御部を複数個設けてマルチキャスト送信方式としたことを特徴とする請求項１ないし３のいずれか１項に記載のサーベイランス試験装置。
【請求項８】
前記サーベイランス試験制御部を複数個設けてマルチキャスト送信方式とし、各サーベイランス試験制御部には、各サーベイランス試験制御部において並行して前記サーベイランス試験を進行させることが可能な前記試験対象機器のリストに相当するインターロック情報を保存するインターロック情報データベースと、前記サーベイランス試験の対象となっている前記試験対象機器についての試験状況情報を作成する同時進行判定部とを備え、前記同時進行判定部は、前記試験対象機器の動作開始を要求する旨の機器動作開始要求情報を前記試験進行表示部から受けると、他のサーベイランス試験制御部の前記同時進行判定部に対して前記試験状況情報を要求し、他のサーベイランス試験制御部の前記同時進行判定部から前記試験状況情報を受信して前記インターロック情報データベースのインターロック情報を参照することにより、前記試験対象機器の動作を開始させることが可能であるか否かを判定し、判定の結果を前記同時進行判定部に通知するように構成したことを特徴とする請求項１ないし３のいずれか１項に記載のサーベイランス試験装置。
【請求項９】
プラントにおいてサーベイランス試験の対象となる試験対象機器に設けられたプラントセンサからプロセスデータをプロセスデータ入力装置部に入力するステップと、前記プロセスデータを高速通信ネットワークを介して前記プロセスデータ入力装置部からサーベイランス試験制御部に送信するステップと、前記プロセスデータ入力装置部から送信された前記プロセスデータを前記サーベイランス試験制御部において受信するステップと、前記サーベイランス試験制御部において受信した前記プロセスデータを前記サーベイランス試験制御部において保存するステップと、前記サーベイランス試験の試験進行要求情報を受けて前記試験対象機器についてのサーベイランス試験手順情報を前記サーベイランス試験制御部において表示させるステップと、前記サーベイランス試験手順情報において前記試験対象機器の動作時間計測が必要な場合には、前記サーベイランス試験で計測すべきデータ項目に時間を有する前記試験対象機器の種類についての時間計測項目情報を参照し、前記サーベイランス試験制御部において前記サーベイランス試験制御部に保存された前記プロセスデータに基づいて前記試験対象機器の動作時間を計測して時間計測処理を実行することにより時間計測データを得るステップと、前記時間計測データおよび前記サーベイランス試験制御部に保存された前記プロセスデータのうち所要の前記プロセスデータを前記サーベイランス試験制御部において表示させるステップとを有することを特徴とするサーベイランス試験方法。
【請求項１０】
プラントにおいてサーベイランス試験の対象となる試験対象機器に設けられたプラントセンサからプロセスデータをプロセスデータ入力装置部に入力するステップと、前記サーベイランス試験において計測すべきデータ項目に時間を有する前記試験対象機器の種類についての時間計測項目情報を参照し、前記プロセスデータを受けて前記試験対象機器の動作時間についての時間計測処理を実行することにより時間計測データを前記プロセスデータ入力装置部において得るステップと、この時間計測データおよび前記プロセスデータをそれぞれネットワークを介して前記プロセスデータ入力装置部からサーベイランス試験制御部に送信するステップと、前記プロセスデータ入力装置部から送信された前記プロセスデータおよび前記時間計測データを前記サーベイランス試験制御部において受信するステップと、前記サーベイランス試験制御部において受信した前記プロセスデータを前記サーベイランス試験制御部において保存するステップと、前記サーベイランス試験制御部において受信した前記時間計測データを前記サーベイランス試験制御部において保存するステップと、前記サーベイランス試験の試験進行要求情報を受けて前記試験対象機器についてのサーベイランス試験手順情報を前記サーベイランス試験制御部において表示させるステップと、前記サーベイランス試験手順情報において前記試験対象機器の動作時間計測が必要な場合には、前記サーベイランス試験制御部において前記時間計測項目情報を参照し、前記サーベイランス試験制御部において保存された前記時間計測データから所要の前記時間計測データを抽出するステップと、前記サーベイランス試験制御部において抽出された前記時間計測データおよび保存された前記プロセスデータのうち所要の前記プロセスデータを表示させるステップとを有することを特徴とするサーベイランス試験方法。
【請求項１１】
プラントにおいてサーベイランス試験の対象となる試験対象機器に設けられたプラントセンサからプロセスデータをプロセスデータ入力装置部に入力するステップと、前記サーベイランス試験において計測すべきデータ項目に時間を有する前記試験対象機器の種類についての時間計測項目情報のうち時間計測項目情報送信要求に対応する時間計測項目情報をネットワークを介して前記プロセスデータ入力装置部において受信し、前記プロセスデータ入力装置部において受信した前記時間計測項目情報を参照することにより前記プロセスデータを受けて前記試験対象機器の動作時間についての時間計測処理を実行して時間計測データを得るステップと、この時間計測データおよび前記プロセスデータをそれぞれネットワークを介して前記プロセスデータ入力装置部からサーベイランス試験制御部に送信するステップと、前記プロセスデータ入力装置部から送信された前記プロセスデータおよび前記時間計測データを前記サーベイランス試験制御部において受信するステップと、前記サーベイランス試験制御部において受信した前記プロセスデータを前記サーベイランス試験制御部において保存するステップと、前記サーベイランス試験制御部において受信した前記時間計測データを前記サーベイランス試験制御部において保存するステップと、前記サーベイランス試験の試験進行要求情報を受けて前記試験対象機器についてのサーベイランス試験手順情報を前記サーベイランス試験制御部において表示させるステップと、このサーベイランス試験手順情報において前記試験対象機器の動作時間計測が必要な場合には、前記サーベイランス試験制御部において前記時間計測項目情報を参照し、保存された前記時間計測データから所要の前記時間計測データを抽出するステップと、前記サーベイランス試験制御部において抽出された前記時間計測データおよび保存された前記プロセスデータのうち所要の前記プロセスデータを表示させるステップとを有することを特徴とするサーベイランス試験方法。
【発明の詳細な説明】
【０００１】
【発明の属する技術分野】
本発明は、原子力発電所等のプラントにおける緊急時対応設備機器の健全性を確認するために定期的に実施されるサーベイランス試験を実施するサーベイランス試験装置およびサーベイランス試験方法に関する。
【０００２】
【従来の技術】
一般に、原子力発電所等のプラントには、プラントの安全性確保のためにプラント緊急時の対応を主目的とした機器や系統等の緊急時対応設備機器が多数導入される。緊急時対応設備機器はプラント通常運転時においては動作しないため、定期的に緊急時対応設備機器に関するプラントデータを計測し、計測結果に基づいて緊急時対応設備機器の動作を確認する試験であるサーベイランス試験を実施することにより、緊急時において緊急時対応設備機器が支障なく動作することが確認される。
【０００３】
従来、緊急時対応設備機器のサーベイランス試験を行う際には、図２６に示すサーベイランス試験装置が使用される（例えば特許文献１参照）。
【０００４】
従来のサーベイランス試験装置１は、プロセスデータ入力部２、プロセスデータ保存部３、時間計測部４、試験進行表示部５、試験進行制御部６、試験手順データベース７および時間計測項目データベース８で構成される。試験進行表示部５は表示装置とコンソールとを具備する。
【０００５】
試験手順データベース７には、緊急時対応設備機器のサーベイランス試験において、サーベイランス試験の対象となる試験対象機器に関するサーベイランス試験手順情報が予め保存される一方、時間計測項目データベース８には、サーベイランス試験において計測するデータ項目に時間を有する試験対象機器の種類についての時間計測項目情報が予め保存される。
【０００６】
そして、サーベイランス試験のオペレータが試験進行表示部５のコンソールからサーベイランス試験をすべき緊急時対応設備機器を指定して試験進行要求すると、試験進行制御部６は指定された緊急時対応設備機器に対応するサーベイランス試験手順情報を試験手順データベース７から読み込んで試験進行表示部５の表示装置に与えることにより表示させる。
【０００７】
この際、試験進行制御部６は、試験対象機器の動作時間計測が必要な場合には、動作時間計測の要求情報を時間計測部４に与える。
【０００８】
一方、図示しないプラントの試験対象機器に設けられたプラントセンサ９からは、直接プラントのプロセスデータがプロセスデータ入力部２に入力され、プロセスデータはプロセスデータ入力部２からさらにプロセスデータ保存部３に入力されて一時的に保存される。
【０００９】
ここで、時間計測部４は、試験進行制御部６から動作時間計測の要求情報を受けた場合には、時間計測項目データベース８に保存された時間計測項目情報とプロセスデータ保存部３に保存されたプロセスデータとを参照することにより試験対象機器の動作時間を計測し、計測した試験対象機器の時間計測データを試験進行制御部６に与える。
【００１０】
さらに、試験進行制御部６は、試験進行表示部５からの試験進行要求情報に応じてプロセスデータ保存部３のプロセスデータおよび試験対象機器の時間計測データを入力して試験進行表示部５の表示装置に与えることにより表示させる。
【００１１】
このため、オペレータは、試験進行表示部５の表示装置においてサーベイランス試験手順情報とともにプロセスデータおよび試験対象機器の時間計測データを確認することによりサーベイランス試験の進行状況を把握し、試験の結果を判定することができる。
【００１２】
また、オペレータが遠隔からサーベイランス試験の進行状況を把握することを可能として利便性を向上させるために、試験進行表示部５と試験進行制御部６とを有線あるいは無線ＬＡＮ（Ｌｏｃａｌ  Ａｒｅａ  Ｎｅｔｗｏｒｋ）等の通信ネットワークを介して通信可能に構成した分散型のサーベイランス試験装置が提案される（例えば特許文献２参照）。
【００１３】
【特許文献１】
特開２０００−２４２３２８号公報（第４頁−第５頁、図４８）
【００１４】
【特許文献２】
特開２００１−２０８８８５号公報（第１１頁−第１７頁、図１）
【００１５】
【発明が解決しようとする課題】
従来のサーベイランス試験装置１や試験進行表示部５と試験進行制御部６とを通信ネットワークを介して通信可能に構成した分散型のサーベイランス試験装置では、特に試験対象機器の時間計測データを得ることが必要な場合には、所要の計測精度が要求されるため、プラントセンサ９から直接プロセスデータをプロセスデータ入力部２に高周期で入力ないし更新して時間計測処理を実行することにより計測精度を確保することが必要となる。
【００１６】
このため、プラントの試験対象機器に設けられたプラントセンサ毎に少なくとも試験進行表示部５を除くプロセスデータ入力部２や時間計測部４等の各構成をそれぞれ直接接続する必要が生じる。
【００１７】
この結果、サーベイランス試験装置１のハードウェア構成が複雑となって設置スペースとして膨大なエリアを要するとともに価格が高価なものとなる。
【００１８】
本発明はかかる従来の事情に対処するためになされたものであり、原子力発電所等のプラントで実施されるサーベイランス試験において、試験対象機器の時間計測データの計測精度を低下させることなく、より簡易な構成で安価にサーベイランス試験を行うことが可能なサーベイランス試験装置およびサーベイランス試験方法を提供することを目的とする。
【００１９】
【課題を解決するための手段】
本発明に係るサーベイランス試験装置は、上述の目的を達成するために、請求項１に記載したように、プロセスデータ入力装置部と、サーベイランス試験制御部と、前記サーベイランス試験制御部と前記プロセスデータ入力装置部とを接続する高速通信ネットワークとを具備し、前記プロセスデータ入力装置部は、プラントにおいてサーベイランス試験の対象となる試験対象機器に設けられたプラントセンサからプロセスデータを入力するプロセスデータ入力部と、このプロセスデータ入力部から前記プロセスデータを受けて前記高速通信ネットワークを介して前記サーベイランス試験制御部に送信するプロセスデータ送信部とを備える一方、前記サーベイランス試験制御部は、前記プロセスデータ送信部から送信された前記プロセスデータを受信するプロセスデータ受信部と、このプロセスデータ受信部により受信された前記プロセスデータを保存するプロセスデータ保存部と、前記試験対象機器についてのサーベイランス試験手順情報を保存する試験手順データベースと、前記サーベイランス試験において計測すべきデータ項目に時間を有する前記試験対象機器の種類についての時間計測項目情報を保存する時間計測項目データベースと、前記サーベイランス試験の進行状況を制御する試験進行制御部と、前記試験対象機器の動作時間についての時間計測処理を実行する時間計測部と、前記試験進行制御部から所要の情報を受けて表示させる一方、前記試験進行制御部に試験進行要求情報を与える試験進行表示部とを備え、前記試験進行制御部は、前記試験進行表示部から試験進行要求情報を受けると前記試験手順データベースを参照して前記サーベイランス試験手順情報を前記試験進行表示部に与えるとともに前記試験対象機器の動作時間計測が必要な場合には、時間計測要求情報を前記時間計測部に与え、さらに前記時間計測部からは前記試験対象機器の時間計測データを、前記プロセスデータ保存部からは前記プロセスデータをそれぞれ入力して前記試験進行表示部に与える一方、前記時間計測部は、前記試験進行制御部から前記時間計測要求情報を受けると前記時間計測項目データベースの前記時間計測項目情報を参照し、前記プロセスデータ保存部の前記プロセスデータに基づいて前記試験対象機器の動作時間を計測して前記時間計測データとして前記試験進行制御部に与えるように構成したことを特徴とするものである。
【００２０】
また、本発明に係るサーベイランス試験装置は、上述の目的を達成するために、請求項２に記載したように、プロセスデータ入力装置部と、サーベイランス試験制御部と、前記サーベイランス試験制御部と前記プロセスデータ入力装置部とを接続するネットワークとを具備し、前記プロセスデータ入力装置部は、プラントにおいてサーベイランス試験の対象となる試験対象機器に設けられたプラントセンサからプロセスデータを入力するプロセスデータ入力部と、前記サーベイランス試験において計測すべきデータ項目に時間を有する前記試験対象機器の種類についての時間計測項目情報を保存する第１の時間計測項目データベースと、この第１の時間計測項目データベースの前記時間計測項目情報を参照し、前記プロセスデータ入力部から前記プロセスデータを受けて前記試験対象機器の動作時間についての時間計測処理を実行することにより時間計測データを得る時間計測部と、この時間計測部からは前記時間計測データを、前記プロセスデータ入力部からは前記プロセスデータをそれぞれ受けてネットワークを介して前記サーベイランス試験制御部に送信するデータ送信部とを備える一方、前記サーベイランス試験制御部は、前記データ送信部から送信された前記プロセスデータおよび前記時間計測データを受信するデータ受信部と、このデータ受信部により受信された前記プロセスデータを保存するプロセスデータ保存部と、前記データ受信部により受信された前記時間計測データを保存する時間計測データ保存部と、前記試験対象機器についてのサーベイランス試験手順情報を保存する試験手順データベースと、前記時間計測項目情報を保存する第２の時間計測項目データベースと、前記サーベイランス試験の進行状況を制御する試験進行制御部と、前記試験進行制御部から所要の情報を受けて表示させる一方、前記試験進行制御部に試験進行要求情報を与える試験進行表示部と、前記第２の時間計測項目データベースの前記時間計測項目情報を参照し、前記時間計測データ保存部から前記時間計測データを抽出して前記試験進行制御部に与える時間計測データ取出部とを備え、前記試験進行制御部は、前記試験進行表示部から試験進行要求情報を受けると前記試験手順データベースを参照して前記サーベイランス試験手順情報を前記試験進行表示部に与えるとともに前記試験対象機器の動作時間計測が必要な場合には、前記時間計測データ取出部から前記時間計測データを入力する一方、前記プロセスデータ保存部からは前記プロセスデータを入力し、入力した前記プロセスデータおよび前記時間計測データをそれぞれ前記試験進行表示部に与えるように構成したことを特徴とするものである。
【００２１】
また、本発明に係るサーベイランス試験装置は、上述の目的を達成するために、請求項３に記載したように、プロセスデータ入力装置部と、サーベイランス試験制御部と、前記サーベイランス試験制御部と前記プロセスデータ入力装置部とを接続するネットワークとを具備し、前記プロセスデータ入力装置部は、プラントにおいてサーベイランス試験の対象となる試験対象機器に設けられたプラントセンサからプロセスデータを入力するプロセスデータ入力部と、前記サーベイランス試験において計測すべきデータ項目に時間を有する前記試験対象機器の種類についての時間計測項目情報を保存する第１の時間計測項目データベースと、この第１の時間計測項目データベースの前記時間計測項目情報を参照し、前記プロセスデータ入力部から前記プロセスデータを受けて前記試験対象機器の動作時間についての時間計測処理を実行することにより時間計測データを得る時間計測部と、この時間計測部からは前記時間計測データを、前記プロセスデータ入力部からは前記プロセスデータをそれぞれ受けて前記ネットワークを介して前記サーベイランス試験制御部に送信し、かつ前記時間計測項目情報を前記サーベイランス試験制御部から受信して第１の時間計測項目データベースの前記時間計測項目情報を更新する第１のデータ送受信部とを備える一方、前記サーベイランス試験制御部は、前記第１のデータ送受信部から送信された前記プロセスデータおよび前記時間計測データを受信し、かつ前記第１のデータ送受信部に前記時間計測項目情報を送信する第２のデータ送受信部と、この第２のデータ送受信部により受信された前記プロセスデータを保存するプロセスデータ保存部と、前記第２のデータ送受信部により受信された前記時間計測データを保存する時間計測データ保存部と、試験対象機器についてのサーベイランス試験手順情報を保存する試験手順データベースと、前記時間計測項目情報を保存する第２の時間計測項目データベースと、時間計測項目情報送信要求に対応する前記時間計測項目情報を前記第２の時間計測項目データベースから入力して前記第２のデータ送受信部に与える時間計測項目送信部と、前記サーベイランス試験の進行状況を制御する試験進行制御部と、前記試験進行制御部から所要の情報を受けて表示させる一方、前記試験進行制御部に試験進行要求情報を与える試験進行表示部と、前記第２の時間計測項目データベースの前記時間計測項目情報を参照し、前記時間計測データ保存部から前記時間計測データを抽出して前記試験進行制御部に与える時間計測データ取出部とを備え、前記試験進行制御部は、前記試験進行表示部から試験進行要求情報を受けると前記試験手順データベースを参照して前記サーベイランス試験手順情報を前記試験進行表示部に与え、前記試験対象機器の動作時間計測が必要な場合には、前記時間計測項目送信部に前記時間計測項目情報の送信を要求し、さらに前記時間計測データ取出部から前記時間計測データを入力する一方、前記プロセスデータ保存部からは前記プロセスデータを入力し、入力した前記プロセスデータおよび前記時間計測データをそれぞれ前記試験進行表示部に与えるように構成したことを特徴とするものである。
【００２２】
また、本発明に係るサーベイランス試験方法は、上述の目的を達成するために、請求項９に記載したように、プラントにおいてサーベイランス試験の対象となる試験対象機器に設けられたプラントセンサからプロセスデータをプロセスデータ入力装置部に入力するステップと、前記プロセスデータを高速通信ネットワークを介して前記プロセスデータ入力装置部からサーベイランス試験制御部に送信するステップと、前記プロセスデータ入力装置部から送信された前記プロセスデータを前記サーベイランス試験制御部において受信するステップと、前記サーベイランス試験制御部において受信した前記プロセスデータを前記サーベイランス試験制御部において保存するステップと、前記サーベイランス試験の試験進行要求情報を受けて前記試験対象機器についてのサーベイランス試験手順情報を前記サーベイランス試験制御部において表示させるステップと、前記サーベイランス試験手順情報において前記試験対象機器の動作時間計測が必要な場合には、前記サーベイランス試験で計測すべきデータ項目に時間を有する前記試験対象機器の種類についての時間計測項目情報を参照し、前記サーベイランス試験制御部において前記サーベイランス試験制御部に保存された前記プロセスデータに基づいて前記試験対象機器の動作時間を計測して時間計測処理を実行することにより時間計測データを得るステップと、前記時間計測データおよび前記サーベイランス試験制御部に保存された前記プロセスデータのうち所要の前記プロセスデータを前記サーベイランス試験制御部において表示させるステップとを有することを特徴とする方法である。
【００２３】
また、本発明に係るサーベイランス試験方法は、上述の目的を達成するために、請求項１０に記載したように、プラントにおいてサーベイランス試験の対象となる試験対象機器に設けられたプラントセンサからプロセスデータをプロセスデータ入力装置部に入力するステップと、前記サーベイランス試験において計測すべきデータ項目に時間を有する前記試験対象機器の種類についての時間計測項目情報を参照し、前記プロセスデータを受けて前記試験対象機器の動作時間についての時間計測処理を実行することにより時間計測データを前記プロセスデータ入力装置部において得るステップと、この時間計測データおよび前記プロセスデータをそれぞれネットワークを介して前記プロセスデータ入力装置部からサーベイランス試験制御部に送信するステップと、前記プロセスデータ入力装置部から送信された前記プロセスデータおよび前記時間計測データを前記サーベイランス試験制御部において受信するステップと、前記サーベイランス試験制御部において受信した前記プロセスデータを前記サーベイランス試験制御部において保存するステップと、前記サーベイランス試験制御部において受信した前記時間計測データを前記サーベイランス試験制御部において保存するステップと、前記サーベイランス試験の試験進行要求情報を受けて前記試験対象機器についてのサーベイランス試験手順情報を前記サーベイランス試験制御部において表示させるステップと、前記サーベイランス試験手順情報において前記試験対象機器の動作時間計測が必要な場合には、前記サーベイランス試験制御部において前記時間計測項目情報を参照し、前記サーベイランス試験制御部において保存された前記時間計測データから所要の前記時間計測データを抽出するステップと、前記サーベイランス試験制御部において抽出された前記時間計測データおよび保存された前記プロセスデータのうち所要の前記プロセスデータを表示させるステップとを有することを特徴とする方法である。
【００２４】
また、本発明に係るサーベイランス試験方法は、上述の目的を達成するために、請求項１１に記載したように、プラントにおいてサーベイランス試験の対象となる試験対象機器に設けられたプラントセンサからプロセスデータをプロセスデータ入力装置部に入力するステップと、前記サーベイランス試験において計測すべきデータ項目に時間を有する前記試験対象機器の種類についての時間計測項目情報のうち時間計測項目情報送信要求に対応する時間計測項目情報をネットワークを介して前記プロセスデータ入力装置部において受信し、前記プロセスデータ入力装置部において受信した前記時間計測項目情報を参照することにより前記プロセスデータを受けて前記試験対象機器の動作時間についての時間計測処理を実行して時間計測データを得るステップと、この時間計測データおよび前記プロセスデータをそれぞれネットワークを介して前記プロセスデータ入力装置部からサーベイランス試験制御部に送信するステップと、前記プロセスデータ入力装置部から送信された前記プロセスデータおよび前記時間計測データを前記サーベイランス試験制御部において受信するステップと、前記サーベイランス試験制御部において受信した前記プロセスデータを前記サーベイランス試験制御部において保存するステップと、前記サーベイランス試験制御部において受信した前記時間計測データを前記サーベイランス試験制御部において保存するステップと、前記サーベイランス試験の試験進行要求情報を受けて前記試験対象機器についてのサーベイランス試験手順情報を前記サーベイランス試験制御部において表示させるステップと、このサーベイランス試験手順情報において前記試験対象機器の動作時間計測が必要な場合には、前記サーベイランス試験制御部において前記時間計測項目情報を参照し、保存された前記時間計測データから所要の前記時間計測データを抽出するステップと、前記サーベイランス試験制御部において抽出された前記時間計測データおよび保存された前記プロセスデータのうち所要の前記プロセスデータを表示させるステップとを有することを特徴とする方法である。
【００２５】
【発明の実施の形態】
本発明に係るサーベイランス試験装置およびサーベイランス試験方法の実施の形態について添付図面を参照して説明する。
【００２６】
図１は本発明に係るサーベイランス試験装置の第１の実施形態を示す構成図である。
【００２７】
サーベイランス試験装置１０は、単一あるいは複数のプロセスデータ入力装置部１１を共通のサーベイランス試験制御部１２に高速通信ネットワーク１３により接続した構成である。
【００２８】
プロセスデータ入力装置部１１は、プロセスデータ入力部１４とプロセスデータ送信部１５とを有する一方、サーベイランス試験制御部１２は、プロセスデータ受信部１６、プロセスデータ保存部１７、時間計測部１８、試験進行表示部１９、試験進行制御部２０、試験手順データベース２１および時間計測項目データベース２２を有する。
【００２９】
プロセスデータ入力装置部１１のプロセスデータ入力部１４は、図示しないプラントの試験対象機器に設けられたプラントセンサ２３と接続される。プロセスデータ入力部１４は、試験対象機器に設けられたプラントセンサ２３から直接プラントのプロセスデータを入力してプロセスデータ送信部１５に与える機能を有する。
【００３０】
プロセスデータ入力装置部１１のプロセスデータ送信部１５は、プロセスデータ入力部１４から受けたプロセスデータを、高速通信ネットワーク１３を介してサーベイランス試験制御部１２のプロセスデータ受信部１６に送信する機能を有する。
【００３１】
一方、サーベイランス試験制御部１２のプロセスデータ受信部１６は、プロセスデータ入力装置部１１のプロセスデータ送信部１５から高速通信ネットワーク１３を介して送信されたプロセスデータを受信して、プロセスデータ保存部１７に与える機能を有する。
【００３２】
サーベイランス試験制御部１２の試験手順データベース２１には、緊急時対応設備機器のサーベイランス試験において、サーベイランス試験の対象となる試験対象機器についてのサーベイランス試験手順情報が予め保存される。
【００３３】
サーベイランス試験制御部１２の時間計測項目データベース２２には、サーベイランス試験において計測するデータ項目に時間を有する試験対象機器の種類についての時間計測項目情報が予め保存される。
【００３４】
サーベイランス試験制御部１２の試験進行表示部１９は表示装置とコンソールとを備え、サーベイランス試験の計測データ等の所要の情報を試験進行制御部２０から受けて表示装置に出力する一方、サーベイランス試験についての所要の試験進行要求情報をコンソールから試験進行制御部２０に与えることができるように構成される。
【００３５】
サーベイランス試験制御部１２の試験進行制御部２０は、試験手順データベース２１のサーベイランス試験手順情報に基づいてサーベイランス試験の進行状況を制御する機能を有する。
【００３６】
すなわち、試験進行制御部２０は、試験進行表示部１９から試験進行要求情報を受けると、試験手順データベース２１を参照して適切なサーベイランス試験手順情報を試験進行表示部１９に与える一方、サーベイランス試験手順情報に基づいて試験対象機器の動作時間計測が必要な場合には、時間計測要求情報を時間計測部１８に与える機能を有する。
【００３７】
また、試験進行制御部２０は、試験進行要求情報に応じて時間計測部１８から試験対象機器から時間計測データを入力する一方、プロセスデータ保存部１７に保存されたプロセスデータのうち所要のプロセスデータを入力して、試験対象機器の時間計測データおよびプロセスデータを試験進行表示部１９に与えて表示させる機能を有する。
【００３８】
サーベイランス試験制御部１２の時間計測部１８は、試験進行制御部２０から時間計測要求情報を受けると時間計測項目データベース２２の時間計測項目情報を参照し、プロセスデータ保存部１７に保存されたプロセスデータに基づいて試験対象機器の動作時間を計測して時間計測処理を実行する機能を有する。さらに、時間計測部１８は、時間計測処理により得られた試験対象機器の動作時間を時間計測データとして試験進行制御部２０に与える機能を有する。
【００３９】
また、プロセスデータ入力装置部１１とサーベイランス試験制御部１２とを接続する高速通信ネットワーク１３は、サーベイランス試験の時間計測処理に要求される精度でプロセスデータ保存部１７のプロセスデータが更新されるために必要な速度でプロセスデータ送信部１５からプロセスデータ受信部１６にプロセスデータを伝送する機能を有する。
【００４０】
次にサーベイランス試験装置１０の作用を説明する。
【００４１】
図２は、図１に示すサーベイランス試験装置１０によりサーベイランス試験を実行する際の流れを示すフローチャートであり、図中Ｓに数字を付した符号はフローチャートの各ステップを示す。
【００４２】
まず、ステップＳ１において、オペレータが試験進行表示部１９のコンソールにて緊急時対応設備機器を指定して、対象となるサーベイランス試験を選択して試験進行要求情報として入力する。試験進行表示部１９は入力された試験進行要求情報を試験進行制御部２０に与える。
【００４３】
このため、ステップＳ２において、試験進行制御部２０は試験進行表示部１９から受けた試験進行要求情報に対応するサーベイランス試験手順情報を試験手順データベース２１から読み込んで試験進行表示部１９の表示装置に与えることにより表示させる。
【００４４】
図３は、図１に示す試験手順データベース２１に保存されるサーベイランス試験手順情報の一例を示す図である。
【００４５】
サーベイランス試験手順情報３０は、例えば複数のサブ試験手順情報３１に区分けされ、各サブ試験情報はサーベイランス試験の手順を複数のステップとして並べてそれぞれ表示したものである。各ステップはさらに、複数のサブステップにより明確化される。
【００４６】
例えば、ステップＮｏ（１）は、ステップメッセージの表示から弁の開閉確認を行うステップであることが分かり、サブステップ１〜４の手順に沿って実施されることが分かる。
【００４７】
サブステップ１の手順では、注釈として試験前の確認が必要である旨が表示され、試験前の確認後には、サブステップ２の手順において、ＣＰＳ側吸込弁の開閉確認をすべき旨が試験対象機器のＩＤであるＦ００１とともに表示される。さらに、ＣＰＳ側吸込弁の開閉確認の内容は、ＣＰＳ側吸込弁を全開させるとともに時間を計測することであることが確認できる。この際、ＣＰＳ側吸込弁が全開するか否かが判定基準であることが分かる。
【００４８】
同様に、サブステップ３およびサブステップ４の各手順内容が表示される。各サブステップ１〜４の手順が終了してステップＮｏ（１）の作業が完了した場合には、次に実施すべきステップのＮｏがスキップ先として表示される。
【００４９】
例えば、ステップＮｏ（１）の次のステップは指定されていないが、ステップＮｏ（３）のロジックテストＳＷ挿入の作業の次にはステップ（６）の作業が必要であることが分かる。
【００５０】
また、現在実施中あるいは着目する作業を明確化するために矢印記号３２により選択されたサブステップを容易に確認することができる。
【００５１】
このため、試験進行表示部１９の表示装置に表示されたサーベイランス試験手順情報３０を確認することにより、オペレータはサーベイランス試験の手順および内容を知ることができる。
【００５２】
次に、ステップＳ３において、オペレータは試験進行表示部１９の表示装置に表示されたサーベイランス試験手順情報３０を確認するとともに、作業および確認対象となる試験対象機器を指定して試験進行要求情報として試験進行表示部１９のコンソールにより試験進行制御部２０に与える。
【００５３】
一方、ステップＳ４において、各試験対象機器に設けられたプラントセンサ２３からは、プロセスデータの各計測ポイントにおけるプロセス値および制限値等のプロセスデータが各プロセスデータ入力部１４にそれぞれ定常的に入力される。このため、プロセスデータ入力部１４は、入力した各プロセスデータをプロセスデータ送信部１５に与える。
【００５４】
次に、ステップＳ５において、プロセスデータ送信部１５は、プロセスデータ入力部１４から受けた各プロセスデータを、高速通信ネットワーク１３を介してサーベイランス試験制御部１２のプロセスデータ受信部１６に送信する。プロセスデータ受信部１６は、各プロセスデータ送信部１５からそれぞれ送信されたプロセスデータを受信してプロセスデータ保存部１７に与える。
【００５５】
このため、ステップＳ６において、プロセスデータ保存部１７には、各試験対象機器のプロセスデータが保存される。
【００５６】
そして、ステップＳ７において、試験進行制御部２０は、試験進行表示部１９から受けた試験進行要求情報に対応する試験対象機器の各プロセスデータの計測ポイントにおける初期状態のプロセス値および制限値等のプロセスデータをプロセスデータ保存部１７から入力する。
【００５７】
さらに、ステップＳ８において、試験進行制御部２０は、試験手順データベース２１のサーベイランス試験手順情報３０を参照することにより、サーベイランス試験手順情報３０の各ステップないしサブステップごとに試験対象機器の初期状態のプロセスデータが適切であるか否かを判定する。試験進行制御部２０は、試験対象機器の初期状態におけるプロセスデータの判定結果を試験進行表示部１９の表示装置に与えることにより表示させる。このため、オペレータは初期状態における試験対象機器が正常に機能しているか否かを確認することができる。
【００５８】
次に、ステップＳ９において、オペレータは、初期状態における試験対象機器が正常であることを確認すると、サーベイランス試験手順情報３０に従って、試験対象機器を操作する。
【００５９】
このため、ステップＳ１０において、操作された試験対象機器に設けられたプラントセンサ２３からは、操作後のプロセスデータがプロセスデータ入力部１４に入力され、プロセスデータ送信部１５に与えられる。試験対象機器の操作後のプロセスデータは、プロセスデータ送信部１５から高速通信ネットワーク１３を介して送信され、プロセスデータ受信部１６により受信される。
【００６０】
プロセスデータ受信部１６は、試験対象機器の操作後のプロセスデータをプロセスデータ保存部１７に入力する。
【００６１】
さらに、試験進行制御部２０は、試験対象機器の操作後のプロセスデータをプロセスデータ保存部１７から入力し、試験手順データベース２１のサーベイランス試験手順情報３０を参照することにより、操作後のプロセスデータが適切であるか否かを判定する。
【００６２】
試験進行制御部２０は、試験対象機器の操作後におけるプロセスデータの判定結果を試験進行表示部１９の表示装置に与えることにより表示させる。このため、オペレータは試験対象機器が正常に動作したか否かを確認することができる。
【００６３】
また、ステップＳ１１において、試験進行制御部２０は、試験手順データベース２１のサーベイランス試験手順情報３０を参照し、試験進行表示部１９から受けた試験進行要求情報に対応する試験対象機器の手順内容に動作時間計測が含まれるか否かを判定する。
【００６４】
そして、ステップＳ１２において、判定の結果、試験進行表示部１９から受けた試験進行要求情報に対応する試験対象機器の手順内容に動作時間計測が含まれる場合には、動作時間計測要求情報を時間計測部１８に与える。
【００６５】
さらに、ステップＳ１３において、時間計測部１８は、試験進行制御部２０から動作時間計測要求情報を受けた場合には、時間計測項目データベース２２に保存された時間計測項目情報とプロセスデータ保存部１７に保存されたプロセスデータとを参照することにより試験対象機器の動作時間を計測して時間計測処理を実行し、得られた試験対象機器の時間計測データを試験進行制御部２０に与える。
【００６６】
ここで、時間計測部１８による時間計測処理の方法について説明する。
【００６７】
図４は、図１に示す時間計測部１８において試験対象機器の時間計測処理を実行する際の計測論理の一例を示す図である。
【００６８】
例えば、試験対象機器が配管に設置される弁であり、計測する動作時間が弁を全閉状態から全開状態とする際の時間である場合には、弁に２つの計測ポイントが設けられる。
【００６９】
弁の一方の計測ポイントからは、弁が全閉状態である場合を除き開信号が出力されてプラントセンサ２３、プロセスデータ入力部１４、プロセスデータ送信、高速通信ネットワーク１３およびプロセスデータ受信部１６を介してプロセスデータ保存部１７に入力される。時間計測部１８は、プロセスデータ保存部１７から弁の一方の計測ポイントから入力された開信号を計算機入力（１）として入力する。
【００７０】
同様に弁の他方の計測ポイントからは、弁が全開状態である場合を除き閉信号が出力されてプロセスデータ保存部１７に保存され、時間計測部１８はプロセスデータ保存部１７から弁の他方の計測ポイントから入力されて保存された閉信号を計算機入力（２）として入力する。
【００７１】
このため、オペレータが弁の弁開度を全閉状態から全開状態とするためにＡの時点で弁を作動させた場合には、Ａの時点から弁の開信号が計算機入力（１）として時間計測部１８に入力される。弁の開信号である計算機入力（１）は、弁が全開状態となった時点Ｂを経過した後も継続的に時間計測部１８に入力される。
【００７２】
一方、弁の閉信号は、弁を作動させたＡの時点よりも前から、計算機入力（２）として時間計測部１８に入力される。弁の閉信号である計算機入力（２）は、弁が全開状態となった時点Ｂまでは継続的に時間計測部１８に入力される。
【００７３】
そして、時間計測部１８は、計算機入力（１）が入力された時点Ａから計算機入力（２）の入力が停止するまでの時間ｔを測定することにより時間計測データを得ることができる。
【００７４】
図５は、図４に示す時間計測部１８による試験対象機器の時間計測処理における計測論理に対する計測アルゴリズムの一例を示すフローチャートである。
【００７５】
まずステップＳ１４において弁を全閉状態から全開状態とする際の時間計測処理を開始する場合における時間計測処理の計測初期条件が成立するか否かが時間計測部１８により判断される。
【００７６】
すなわち、弁から開信号である計算機入力（１）がオフ状態であり、閉信号である計算機入力（２）がオン状態である場合には、弁が全閉状態であるため時間計測処理の初期条件が成立すると判断される。
【００７７】
次にステップＳ１５において、時間計測部１８により時間計測処理の初期条件が成立すると判断された場合には、時間の測定値を示す時間カウントｔにゼロが入力される。
【００７８】
さらにステップＳ１６において、時間計測部１８は弁の開閉度が全開状態でも全閉状態でもなく中間開状態であるか否かを判断する。
【００７９】
すなわち、弁から開信号である計算機入力（１）が入力されてオン状態となり、かつ閉信号である計算機入力（２）もオン状態である場合には、弁が中間開状態であると判断される。
【００８０】
そしてステップＳ１７において、時間計測部１８により弁が中間開状態であると判断された場合には、時間の測定値を示す時間カウントｔに一定の値Δｔを加算する。
【００８１】
この結果、ステップＳ１８において、時間カウントｔはΔｔだけ遅延される。
【００８２】
さらに、再びステップＳ１６において弁の開閉度が中間開状態であるか否かが判断され、同様な処理が繰り返し実行される。このため、時間計測部１８により弁が中間開状態でないと判断されるまで時間カウントｔに一定の値Δｔが加算される。
【００８３】
次に、ステップＳ１９において、時間計測部１８により弁が中間開状態でないと判断された場合には、時間の計測終了条件が成立するか否かが判断される。
【００８４】
すなわち、弁から開信号である計算機入力（１）がオフ状態であり、閉信号である計算機入力（２）がオフ状態となった場合には、弁が全閉状態であるため時間の計測終了条件が成立すると判断される。
【００８５】
次に、ステップＳ２０において、時間計測部１８により時間の計測終了条件が成立すると判断された場合には、最終的にΔｔの時間カウントｔへの加算後の時間カウントｔが時間計測データとして得られ、時間計測処理が終了する。
【００８６】
一方、ステップＳ１４で時間計測処理の計測初期条件が成立しないと判断された場合およびステップＳ１９で時間の計測終了条件が成立しないと判断された場合には、ステップＳ２１において、弁の開閉動作が正常でないと判断されるため、時間カウントｔにゼロが入力されて時間計測データとされ、時間計測処理が終了する。
【００８７】
時間計測部１８は、時間計測処理が終了すると時間計測データを試験進行制御部２０に与える。
【００８８】
このため、図２のステップＳ２２において、試験進行制御部２０は、サーベイランス試験のうち時間計測処理に対応する手順が完了した旨の通知情報とともに時間計測部１８から受けた時間計測データを試験進行表示部１９に与え、試験進行表示部１９は表示装置により時間計測データおよび手順完了通知情報を表示させる。
【００８９】
このため、オペレータは試験進行表示部１９により表示された時間計測データを得ることができ、サーベイランス試験の１つの手順が完了したことを確認することができる。
【００９０】
次に、ステップＳ２３において、オペレータは試験進行表示部１９により表示されたサーベイランス試験手順情報３０を確認し、選択されたサーベイランス試験試験に次の手順が存在するか否かを判断する。
【００９１】
そして、サーベイランス試験試験に次の手順が存在する場合には、ステップＳ３において再び試験対象機器を指定して試験進行表示部１９に試験進行要求情報を入力し、同様な、プロセスデータの入力および判定並びに時間計測データの取得による確認がサーベイランス試験手順情報３０の表示および各ステップないし各サブステップの手順ごとに実行されてサーベイランス試験が実施される。
【００９２】
一方、ステップＳ１１の動作時間計測の要否についての判定において、試験対象機器の手順内容に動作時間計測が含まれないと判定した場合にも、ステップＳ２３において、オペレータによりサーベイランス試験試験に次の手順が存在するか否かが判断される。
【００９３】
また、ステップＳ２３において、サーベイランス試験試験に次の手順が存在しない場合には、サーベイランス試験が終了する。
【００９４】
すなわち、サーベイランス試験装置１０は、複数のプラントセンサ２３から直接プロセスデータをそれぞれ入力するためのプロセスデータ入力部１４を備えたプロセスデータ入力装置部１１を、共通のサーベイランス試験制御部１２に高速通信ネットワーク１３を介して接続することにより分散化構成として、サーベイランス試験装置１０の構成を簡素化するとともに必要なコストを低減させた構成である。
【００９５】
また、この際、高速通信ネットワーク１３によりプロセスデータをプロセスデータ入力装置部１１からサーベイランス試験制御部１２に高速で送信することにより、サーベイランス試験に必要なプロセスデータの更新速度を維持し、サーベイランス試験における時間計測処理の時間計測要求精度を確保したものである。
【００９６】
従来のサーベイランス試験装置１においては、プロセスデータ入力部２と、時間計測部４、試験進行制御部６あるいは試験進行表示部５等の構成とが一体構成であった。このため、プロセスデータ入力部２に直接入力されたプロセスデータの処理が、一体化されたハードウェアの内部処理として試験進行制御５や部時間計測部４により実行され、高周期のプロセスデータの入力が可能となって時間計測処理の時間計測要求精度を確保することができる反面、試験進行制御部６等の構成がプロセスデータ入力部２ごとに必要となり高価なものとなっていた。
【００９７】
一方、サーベイランス試験装置１０では、ハードウェア設備として高価なプロセスデータ入力装置部１１を共用化することにより、プロセスデータ入力装置部１１の数の削減が可能となり、ハードウェアコストをより安価にすることができるのみならず、サーベイランス試験装置１０の設置スペースの小規模化を図ることができる。
【００９８】
また、この際、高速通信ネットワーク１３によりプロセスデータをプロセスデータ入力装置部１１からサーベイランス試験制御部１２に高速で送信するように構成したため、サーベイランス試験における時間計測処理精度の低下を回避させて従来のサーベイランス試験装置１と同等の時間計測要求精度を確保することができる。
【００９９】
図６は本発明に係るサーベイランス試験装置の第２の実施形態を示す構成図である。
【０１００】
図６に示された、サーベイランス試験装置１０Ａでは、プロセスデータ入力装置部１１に時間計測部１８と第１の時間計測項目データベース２２ａとを備える一方、サーベイランス試験制御部１２に時間計測部１８を設ける代わりに時間計測データ保存部４０と時間計測データ取出部４１を設けた点並びに高速通信ネットワーク１３の代わりにネットワークの一例である汎用ネットワーク４２を用いた点が図１に示すサーベイランス試験装置１０と相違する。他の構成および作用については図１に示すサーベイランス試験装置１０と実質的に異ならないため同一の構成については同符号を付して説明を省略する。
【０１０１】
サーベイランス試験装置１０Ａのプロセスデータ入力装置部１１は、低速の汎用通信ネットワークによりサーベイランス試験制御部１２と接続される。
【０１０２】
また、プロセスデータ入力装置部１１は、プロセスデータ入力部１４、時間計測部１８、第１の時間計測項目データベース２２ａおよびデータ送信部４３を有する一方、サーベイランス試験制御部１２は、データ受信部４４、プロセスデータ保存部１７、時間計測データ保存部４０、時間計測データ取出部４１、試験進行表示部１９、試験進行制御部２０、試験手順データベース２１および第２の時間計測項目データベース２２ｂを有する。
【０１０３】
プロセスデータ入力装置部１１のプロセスデータ入力部１４は、プラントセンサ２３と接続される。プロセスデータ入力部１４は、プラントセンサ２３から試験対象機器のプロセスデータを入力して時間計測部１８およびデータ送信部４３に与える機能を有する。
【０１０４】
プロセスデータ入力装置部１１の第１の時間計測項目データベース２２ａには、図１に示すサーベイランス試験装置１０における時間計測項目データベース２２に保存された時間計測項目情報と同様の時間計測項目情報が予め保存される。
【０１０５】
プロセスデータ入力装置部１１の時間計測部１８は、第１の時間計測項目データベース２２ａの時間計測項目情報を参照し、プロセスデータ入力部１４から受けたプロセスデータに基づいて試験対象機器の時間計測処理を実行する機能を有する。さらに、時間計測部１８は、時間計測処理により得られた試験対象機器の時間計測データをデータ送信部４３に与える機能を有する。
【０１０６】
プロセスデータ入力装置部１１のデータ送信部４３は、プロセスデータ入力部１４から受けたプロセスデータおよび時間計測部１８から受けた時間計測データを、汎用通信ネットワークを介してサーベイランス試験制御部１２のデータ受信部４４に送信する機能を有する。
【０１０７】
一方、サーベイランス試験制御部１２のデータ受信部４４は、プロセスデータ入力装置部１１のデータ送信部４３から汎用通信ネットワークを介して送信されたプロセスデータおよび時間計測データを受信する機能と、受信したプロセスデータをプロセスデータ保存部１７に与える一方、受信した時間計測データを時間計測データ保存部４０に与える機能とを有する。
【０１０８】
サーベイランス試験制御部１２の第２の時間計測項目データベース２２ｂには、プロセスデータ入力装置部１１の第１の時間計測項目データベース２２ａに保存された時間計測項目情報と同様の時間計測項目情報が予め保存される。
【０１０９】
サーベイランス試験制御部１２の時間計測データ取出部４１は、試験進行制御部２０から時間計測要求情報を受けると第２の時間計測項目データベース２２ｂの時間計測項目情報を参照し、時間計測データ保存部４０に保存された時間計測データのうちから所要の時間計測データを抽出して試験進行制御部２０に与える機能を有する。
【０１１０】
サーベイランス試験制御部１２の試験手順データベース２１には、図１に示すサーベイランス試験装置１０の試験手順データベース２１に保存されたサーベイランス試験手順情報と同様のサーベイランス試験手順情報が予め保存される。
【０１１１】
また、サーベイランス試験制御部１２の試験進行表示部１９および試験進行制御部２０は、図１に示すサーベイランス試験装置１０の試験進行表示部１９および試験進行制御部２０と同様の機能を備える。試験進行制御部２０は、時間計測要求情報を時間計測部１８に与える代わりに時間計測データ取出部４１に与える一方、時間計測データ取出部４１から時間計測データを受けるように構成される。
【０１１２】
次にサーベイランス試験装置１０Ａの作用を説明する。
【０１１３】
図７は、図６に示すサーベイランス試験装置１０Ａによりサーベイランス試験を実行する際の流れを示すフローチャートであり、図中Ｓに数字を付した符号はフローチャートの各ステップを示す。
【０１１４】
まず、ステップＳ３１において、各試験対象機器に設けられたプラントセンサ２３から、プロセスデータの各計測ポイントにおけるプロセス値および制限値等のプロセスデータが各プロセスデータ入力部１４にそれぞれ定常的に入力され、プロセスデータ入力部１４は、入力した各プロセスデータをデータ送信部４３および時間計測部１８に与える。
【０１１５】
次に、ステップＳ３２において、時間計測部１８は、試験進行制御部２０による時間計測要求情報の出力の有無に関わらず、常時継続的に第１の時間計測項目データベース２２ａの時間計測項目情報を参照して、プロセスデータ入力部１４から受けたプロセスデータに基づいて試験対象機器の時間計測処理を実行し、時間計測データをデータ送信部４３に与える。
【０１１６】
すなわち、サーベイランス試験手順情報のうち作業中の手順が時間計測を伴うか否かによらず、汎用通信ネットワークを介さずにプラントセンサ２３からプロセスデータ入力部１４を経由して入力されたプロセスデータに基づいて常時時間計測処理を実行する。
【０１１７】
次に、ステップＳ３３において、データ送信部４３は、時間計測部１８から受けた時間計測データをプロセスデータ入力部１４から受けたプロセスデータとともにデータ受信部４４へ汎用通信ネットワークを介して送信し、データ受信部４４は、受信したデータが時間計測データである場合には、時間計測データ保存部４０に与える一方、受信したデータがプロセスデータである場合にはプロセスデータ保存部１７に与える。
【０１１８】
一方、ステップＳ３４において、オペレータが試験進行表示部１９からサーベイランス試験を選択して試験進行要求情報を試験進行制御部２０に与えると、試験進行制御部２０は試験進行要求情報に対応するサーベイランス試験手順情報を試験手順データベース２１から読み込んで試験進行表示部１９に与えて表示させる。
【０１１９】
次に、ステップＳ３５において、オペレータがサーベイランス試験手順情報から作業すべき手順を選択して試験進行要求情報を試験進行制御部２０に与えると、試験進行制御部２０は、試験手順データベース２１のサーベイランス試験手順情報を参照して試験進行要求情報に対応するプロセスデータをプロセスデータ保存部１７から入力して適性であるか否かを判定する一方、試験対象機器の時間計測処理が必要な場合には、動作時間計測要求情報を時間計測データ取出部４１に与える。
【０１２０】
さらに、ステップＳ３６において、時間計測データ取出部４１は、試験進行制御部２０から動作時間計測要求情報を受けると第２の時間計測項目データベース２２ｂの時間計測項目情報を参照して、動作時間計測要求情報に対応する時間計測データを時間計測データ保存部４０から抽出して試験進行制御部２０に与える。試験進行制御部２０は、時間計測データ取出部４１を試験進行表示部１９に与えて表示させる。
【０１２１】
このため、オペレータは、試験対象機器のプロセスデータとその適否、時間計測データをサーベイランス試験手順情報とともに確認して作業を進行させることができる。
【０１２２】
すなわち、サーベイランス試験装置１０Ａは、より高周期で高精度の時間計測処理を実行する時間計測部１８をプロセスデータ入力装置部１１に設け、ネットワークを介さずにプラントセンサ２３からプロセスデータ入力部１４を経由して常時入力させて時間計測処理を実行させることにより、汎用通信ネットワークによりプロセスデータ入力装置部１１をサーベイランス試験制御部１２と接続しても、必要な精度の時間計測データが得られるように構成したものである。
【０１２３】
サーベイランス試験装置１０Ａでは、サーベイランス試験制御部１２の数削減することができるとともに、プロセスデータ入力部１４におけるプラントデータの入力分解能に応じた精度で時間計測処理を実行することができる。さらに、汎用通信ネットワークの伝送負荷や伝送遅れ等のネットワーク性能による影響を回避させることができるため、必要とされる時間計測データの精度を確保することができる。
【０１２４】
このため、サーベイランス試験装置１０Ａでは、ハードウェアコストをより安価にすることができるのみならず、サーベイランス試験装置１０Ａの設置スペースの小規模化を図ることができる。
【０１２５】
尚、サーベイランス試験装置１０Ａにおいて、汎用ネットワーク４２の代わりに図１に示すサーベイランス試験装置１０と同様に高速通信ネットワーク１３を用いてもよい。
【０１２６】
図８は本発明に係るサーベイランス試験装置の第３の実施形態を示す構成図である。
【０１２７】
図８に示された、サーベイランス試験装置１０Ｂでは、サーベイランス試験制御部１２に時間計測項目送信部５０を設けた点並びにプロセスデータ入力装置部１１のデータ送信部４３およびサーベイランス試験制御部１２のデータ受信部４４をそれぞれ第１のデータ送受信部５１および第２のデータ送受信部５２とした点が図６に示すサーベイランス試験装置１０Ａと相違する。他の構成および作用については図６に示すサーベイランス試験装置１０Ａと実質的に異ならないため同一の構成については同符号を付して説明を省略する。
【０１２８】
サーベイランス試験装置１０Ｂのプロセスデータ入力装置部１１は、プロセスデータ入力部１４、時間計測部１８、第１の時間計測項目データベース２２ａおよび第１のデータ送受信部５１を有する一方、サーベイランス試験制御部１２は、第２のデータ送受信部５２、プロセスデータ保存部１７、時間計測データ保存部４０、時間計測データ取出部４１、試験進行表示部１９、試験進行制御部２０、試験手順データベース２１、第２の時間計測項目データベース２２ｂおよび時間計測項目送信部５０を有する。
【０１２９】
サーベイランス試験制御部１２の試験進行制御部２０は、図６に示すサーベイランス試験装置１０Ａにおける試験進行制御部２０の機能と同等の機能に加え、サーベイランス試験手順情報から作業すべき手順を選択した際に、対応する時間計測項目情報の時間計測項目情報送信要求を時間計測項目送信部５０に与える機能を有する。
【０１３０】
サーベイランス試験制御部１２の時間計測項目送信部５０は、試験進行制御部２０から時間計測項目情報送信要求を受けると、時間計測項目情報送信要求に対応する時間計測項目情報を第２の時間計測項目データベース２２ｂから入力してサーベイランス試験制御部１２の第２のデータ送受信部５２に与える機能を有する。
【０１３１】
また、サーベイランス試験制御部１２およびプロセスデータ入力装置部１１の第１、第２のデータ送受信部５１，５２は、それぞれ汎用通信ネットワークを介して互いに情報を送受信する機能を有する。さらに、プロセスデータ入力装置部１１の第１のデータ送受信部５１は、サーベイランス試験制御部１２の第２のデータ送受信部５２から時間計測項目情報を受けた場合には、受信した時間計測項目情報をプロセスデータ入力装置部１１の第１の時間計測項目データベース２２ａに入力する機能を有する。
【０１３２】
次に、サーベイランス試験装置１０Ｂの作用について説明する。
【０１３３】
図９は、図８に示すサーベイランス試験装置１０Ｂによりサーベイランス試験を実行する際の流れを示すフローチャートであり、図中Ｓに数字を付した符号はフローチャートの各ステップを示す。
【０１３４】
まず、ステップＳ４１において、オペレータは試験進行表示部１９によりサーベイランス試験手順情報から作業すべき手順を選択し、試験進行要求情報として試験進行制御部２０に与える。この際、対応する試験対象機器についての時間計測項目情報をプロセスデータ入力装置部１１に送信すべき旨の時間計測項目情報送信要求が試験進行制御部２０から時間計測項目送信部５０に与えられる。
【０１３５】
次に、ステップＳ４２において、時間計測項目送信部５０は、試験進行制御部２０から時間計測項目情報送信要求を受けると、時間計測項目情報送信要求に対応する時間計測項目情報を第２の時間計測項目データベース２２ｂから抽出してサーベイランス試験制御部１２の第２のデータ送受信部５２に与える。
【０１３６】
このため、時間計測項目情報に変更が生じた場合であっても、常に最新の時間計測項目情報が第２の時間計測項目データベース２２ｂから入力されて時間計測項目送信部５０から第２のデータ送受信部５２に与えられる。
【０１３７】
さらに、ステップＳ４３において、サーベイランス試験制御部１２の第２のデータ送受信部５２は、時間計測項目送信部５０から受けた時間計測項目情報を汎用通信ネットワークを介してプロセスデータ入力装置部１１の第１のデータ送受信部５１に送信する。
【０１３８】
次に、ステップＳ４４において、プロセスデータ入力装置部１１の第１のデータ送受信部５１は、サーベイランス試験制御部１２の第２のデータ送受信部５２から送信された時間計測項目情報を受信してプロセスデータ入力装置部１１の第１の時間計測項目データベース２２ａに入力することにより、予め第１の時間計測項目データベース２２ａに保存されていた時間計測項目情報を更新する。
【０１３９】
この結果、第１の時間計測項目データベース２２ａには、サーベイランス試験手順情報から選択された手順に対応した試験対象機器についての時間計測項目情報のみが保存される。
【０１４０】
さらに、ステップＳ４５において、時間計測部１８は、第１の時間計測項目データベース２２ａに保存された時間計測項目情報を参照することにより、サーベイランス試験手順情報から選択された手順に対応した試験対象機器のみについて時間計測処理を実行する。
【０１４１】
すなわち、サーベイランス試験装置１０Ｂは、サーベイランス試験手順情報から選択された手順に対応する時間計測項目情報のみをプロセスデータ入力装置部１１に送信することにより、必要な試験対象機器の時間計測処理のみを実行するように構成したものである。
【０１４２】
サーベイランス試験装置１０Ｂでは、サーベイランス試験装置１０Ａと同等の効果に加え、サーベイランス試験を実施しようとする試験対象機器の時間計測処理のみを実行する構成であるため、時間計測部１８における処理量を低減させることができる。
【０１４３】
また、従来のサーベイランス試験装置１においては、時間計測項目情報に変更がある場合には、サーベイランス試験装置１の所要の一部をオフラインにする必要があるため、プラント運転中には時間計測項目情報を更新させることができなかった。
【０１４４】
一方、サーベイランス試験装置１０Ｂでは、時間計測項目情報に変更がある場合でも、常に最新の時間計測項目情報がプロセスデータ入力装置部１１に自動的に更新されて送信されるため、試験対象機器やその他のプラントの構成あるいはサーベイランス試験装置１０Ｂを一旦停止させて時間計測項目情報の更新作業を実施することなく、試験対象機器の時間計測処理を実行することができる。
【０１４５】
このため、プラント運転中であっても、サーベイランス試験を中断することなく実施することができる。
【０１４６】
図１０は本発明に係るサーベイランス試験装置の第４の実施形態を示す構成図である。
【０１４７】
図１０に示された、サーベイランス試験装置１０Ｃでは、サーベイランス試験制御部１２に試験手順編集部６０を設けた点が図１に示すサーベイランス試験装置１０と相違する。他の構成および作用については図１に示すサーベイランス試験装置１０と実質的に異ならないため同一の構成については同符号を付して説明を省略する。
【０１４８】
サーベイランス試験装置１０Ｃのサーベイランス試験制御部１２は、プロセスデータ受信部１６、プロセスデータ保存部１７、時間計測部１８、試験進行表示部１９、試験進行制御部２０、試験手順編集部６０、試験手順データベース２１および時間計測項目データベース２２を有する。
【０１４９】
試験手順編集部６０は、試験進行表示部１９から情報編集要求を受けて、試験進行制御部２０に所要の試験対象機器が試験作業中であるか否かを問い合わせるとともにその結果を試験進行制御部２０から受けて所要の情報とともに試験進行表示部１９に与える機能と、試験対象機器が試験作業中でない場合には、試験進行表示部１９から情報編集要求を受けて、試験手順データベース２１のサーベイランス試験手順情報および時間計測項目データベース２２の時間計測項目情報を編集する機能を有する。
【０１５０】
さらに、試験手順編集部６０は、試験手順データベース２１のサーベイランス試験手順情報あるいは時間計測項目データベース２２の時間計測項目情報を編集しているか否かの問い合わせを試験進行制御部２０から受けた場合には、その回答を試験進行制御部２０に通知する機能を有する。
【０１５１】
試験進行制御部２０は、図１に示すサーベイランス試験装置１０における試験進行制御部２０の機能と同等の機能に加え、試験手順編集部６０から所要の試験対象機器が試験作業中であるか否かの問い合わせを受けて、その回答を試験手順編集部６０に通知する機能を有する。
【０１５２】
さらに、試験進行制御部２０は、試験対象機器の試験作業を開始させる際、試験手順編集部６０に対して試験手順データベース２１のサーベイランス試験手順情報あるいは時間計測項目データベース２２の時間計測項目情報が編集中であるか否かを問い合わせ、試験手順編集部６０から編集中である旨の通知を受けた場合には、試験対象機器の試験作業の進行を停止させる機能を有する。
【０１５３】
サーベイランス試験制御部１２のその他の各構成要素の機能は、図１に示すサーベイランス試験装置１０と同等である。
【０１５４】
次に、サーベイランス試験装置１０Ｃの作用について説明する。
【０１５５】
図１１は、図１０に示すサーベイランス試験装置１０Ｃによりサーベイランス試験を実行する際の流れを示すフローチャートであり、図中Ｓに数字を付した符号はフローチャートの各ステップを示す。
【０１５６】
サーベイランス試験装置１０Ｃのサーベイランス試験制御部１２では、まず、ステップＳ５１において、サーベイランス試験手順情報あるいは時間計測項目情報が改定されて変更がある場合には、オペレータにより試験進行表示部１９に対応する試験対象機器についての情報編集要求が入力される。試験進行表示部１９は、入力された情報編集要求を試験手順編集部６０に与えられ、試験手順編集部６０が起動する。
【０１５７】
次に、ステップＳ５２において、試験手順編集部６０は、試験進行表示部１９から情報編集要求を受けると、試験進行制御部２０に情報編集要求に対応する試験対象機器が試験作業中であるか否かを問い合わせる。
【０１５８】
このため、ステップＳ５３において、試験進行制御部２０は、試験対象機器が試験作業中であるか否かの結果を試験手順編集部６０に通知する。
【０１５９】
次に、ステップＳ５４において、試験手順編集部６０は、試験進行制御部２０から受けた通知を確認して試験対象機器が試験作業中であるか否かを判定する。
【０１６０】
そして、判定の結果、試験対象機器が試験作業中である場合には、ステップＳ５５において、試験手順編集部６０が、その旨を試験進行表示部１９に通知して表示させることによりオペレータに知らせる。そして、試験手順編集部６０は、試験手順データベース２１のサーベイランス試験手順情報あるいは時間計測項目データベース２２の時間計測項目情報の編集機能を一旦停止させ、再びステップＳ５２において、試験進行制御部２０に情報編集要求に対応する試験対象機器が試験作業中であるか否かを問い合わせる。
【０１６１】
一方、試験対象機器が試験作業中でない場合には、ステップＳ５６において、試験手順編集部６０は、試験手順データベース２１のサーベイランス試験手順情報あるいは時間計測項目データベース２２の時間計測項目情報の編集機能を作動させ、試験進行表示部１９に編集に必要な情報を与えて表示させる。
【０１６２】
図１２は、図１０に示す試験手順編集部６０から試験進行表示部１９を介して表示される試験手順編集メニュー画面の一例を示す図である。
【０１６３】
試験手順編集部６０は、対応する試験対象機器が試験作業中でない場合には、例えば図１２に示す試験手順編集メニュー画面７０についての情報を試験進行表示部１９に与えることにより試験手順編集メニュー画面７０を試験進行表示部１９に表示させ、試験手順データベース２１のサーベイランス試験手順情報および時間計測項目データベース２２の時間計測項目情報の編集機能を作動させる。
【０１６４】
試験手順編集メニュー画面７０には、例えば、系統の一覧を選択可能に表示させる領域７１ａ、サーベイランス試験の一覧を選択可能に表示させる領域７１ｂおよびサーベイランス試験の範囲を選択させる領域７１ｃが設けられる。
【０１６５】
試験手順編集メニュー画面７０の系統の選択および一覧の領域７１ａには、ＬＰＣＳやＨＰＣＳ等の系統名が選択可能に表示され、試験の選択および一覧の領域７１ｂには、電動弁自動開閉試験や電動弁手動開閉試験等の試験名が選択可能に表示される。試験手順編集メニュー画面７０のうち試験の範囲を選択させる領域７１ｃには、実施条件、前準備、試験中あるいは復旧等の試験の範囲の種類が選択可能に表示される。
【０１６６】
また、試験手順編集メニュー画面７０には、例えば、試験手順編集ボタン７２、機器情報編集ボタン７３が設けられ、試験手順編集メニュー画面７０の系統、試験および試験の範囲を選択した後、試験手順編集ボタン７２を押すと選択された系統、試験および試験の範囲におけるサーベイランス試験手順情報の手順編集画面が表示される一方、機器情報編集ボタン７３を押すと選択された系統の試験対象機器に関する設定の機器編集画面が表示されるように構成される。
【０１６７】
例えば、系統としてＬＰＣＳを、試験として電動弁自動開閉試験を、試験範囲として試験中を選択するとともに、試験手順編集ボタン７２を押すとＬＰＣＳの電動弁自動開閉試験における試験中のサーベイランス試験手順情報の手順編集画面が表示される。
【０１６８】
図１３は、図１２に示す試験手順編集メニュー画面７０において、選択された系統、試験名および試験範囲に対する手順編集画面の一例を示す図である。
【０１６９】
試験手順編集メニュー画面７０において試験手順編集ボタン７２を押すと例えば図１３に示すサーベイランス試験手順情報の手順編集画面８０が試験進行表示部１９に表示される。図１３において、上部には選択された系統、試験名および試験範囲が表示され、中央部から左部位にかけてサーベイランス試験手順情報が表示される。
【０１７０】
また、図１３において右部位には、手順の編集操作を実施するための手順追加ボタン８１、手順削除ボタン８２、手順変更ボタン８３、手順コピーボタン８４、手順貼付けボタン８５等の各種手順編集ボタン８６とともに設定ボタン８７およびキャンセルボタン８８が設けられる。
【０１７１】
そして、サーベイランス試験手順情報の手順編集画面８０において、サーベイランス試験手順情報のうち編集しようとする手順を選択するとともに手順編集ボタン８６から目的に沿ったボタンを押して手順を追加、削除あるいは変更させて編集することができる。さらに編集後の内容で手順を確定する場合には設定ボタン８７により編集後の内容を確定させることができる一方、再度編集をする場合にはキャンセルボタン８８により再編集が可能となる。
【０１７２】
また、手順編集画面８０において、サーベイランス試験手順情報のうち編集しようとする手順を選択するとともに、手順変更ボタン８３を押すとさらに手順詳細情報編集画面が表示される。
【０１７３】
図１４は、図１３に示すサーベイランス試験手順情報の手順編集画面８０において選択された手順の手順詳細情報編集画面の一例を示す図である。
【０１７４】
サーベイランス試験手順情報の手順編集画面８０において、サーベイランス試験手順情報の手順を選択して手順変更ボタン８３を押すと例えば図１４に示す手順詳細情報編集画面９０が表示される。
【０１７５】
手順詳細情報編集画面９０において、各設定項目を設定することにより対話形式によりサーベイランス試験手順情報の手順を変更させることができる。
【０１７６】
一方、図１２に示す試験手順編集メニュー画面７０において、系統を選択した後、機器情報編集ボタン７３を押すと選択された系統の試験対象機器に関する設定の機器編集画面が表示される。
【０１７７】
図１５は、図１２に示す試験手順編集メニュー画面７０において、選択された系統に対する機器編集画面の一例を示す図である。
【０１７８】
試験手順編集メニュー画面７０において、系統を選択して機器情報編集ボタン７３を押すと例えば、図１５に示す機器編集画面１００が表示される。
【０１７９】
機器編集画面１００には、試験対象機器に関する設定項目が設けられ、各設定項目に所要の設定値を入力することにより、試験対象機器の動作判定条件や時間計測項目情報の構成要素であるプラントセンサ２３の入力点や入力信号に関する諸条件についての設定を対話操作により変更することができる。
【０１８０】
このようにして、図１１に示すステップＳ５７において、試験手順編集部６０により試験進行表示部１９に表示された手順編集画面８０および機器編集画面１００を介してサーベイランス試験手順情報および時間計測項目情報が編集される。そして、試験手順データベース２１のサーベイランス試験手順情報および時間計測項目データベース２２の時間計測項目情報が編集後のサーベイランス試験手順情報および時間計測項目情報に更新されて保存される。
【０１８１】
一方、ステップＳ５８において、試験進行制御部２０は、試験対象機器の試験作業を開始させる際、試験手順編集部６０に対して試験手順データベース２１のサーベイランス試験手順情報あるいは時間計測項目データベース２２の時間計測項目情報が編集中であるか否かを問い合わせることにより、サーベイランス試験手順情報あるいは時間計測項目情報が編集中であるか否かを判定する。
【０１８２】
そして、ステップＳ５９において、試験進行制御部２０が試験手順編集部６０から編集中である旨の通知を受けて、サーベイランス試験手順情報あるいは時間計測項目情報が編集中であると判定した場合には、試験手順編集部６０から編集中でない通知を受けるまで試験対象機器の試験作業の進行を停止させる。
【０１８３】
このため、試験進行制御部２０の作用によりサーベイランス試験手順情報あるいは時間計測項目情報の編集中に試験対象機器の試験作業が進行されるのが回避される。
【０１８４】
そして、サーベイランス試験手順情報あるいは時間計測項目情報の編集が完了し、試験手順データベース２１のサーベイランス試験手順情報あるいは時間計測項目データベース２２の時間計測項目情報が更新されると、試験手順編集部６０は試験進行制御部２０に編集中でない旨の通知を与える。
【０１８５】
このため、ステップＳ６０において、試験進行制御部２０が試験手順編集部６０から編集中でない旨の通知を受けて、サーベイランス試験手順情報あるいは時間計測項目情報が編集中でないと判定した場合には、更新後のサーベイランス試験手順情報あるいは時間計測項目情報に従って試験進行制御部２０により試験対象機器の試験作業が進行される。
【０１８６】
すなわち、サーベイランス試験装置１０Ｃは、サーベイランス試験制御部１２に試験手順編集部６０を設けることにより、試験手順データベース２１のサーベイランス試験手順情報あるいは時間計測項目データベース２２の時間計測項目情報の編集機能を備えたものである。
【０１８７】
一般にサーベイランス試験手順情報は、プラントの管理上の保安規定や自主管理規定の改定やプラントにおける試験対象機器の改良等の理由により、随時見直しが実施されて変更される。
【０１８８】
しかし、従来のサーベイランス試験装置１では、プラント全体の監視制御を実施する計算機ハードが試験手順データベース２１および時間計測項目データベース２２と密接に連携して動作するように構築されていたため、プラント運転中においては、サーベイランス試験手順情報あるいは時間計測項目情報の変更作業が容易にできず、変更作業の際にはサーベイランス試験装置１を停止する必要があった。
【０１８９】
一方、サーベイランス試験装置１０Ｃでは、サーベイランス試験手順情報の変更が必要となった場合においても、サーベイランス試験装置１０Ｃを停止することなく、オンラインでサーベイランス試験手順情報の変更を容易に行うことができる。このため、サーベイランス試験手順情報の保守が容易化することができる。
【０１９０】
図１６は本発明に係るサーベイランス試験装置の第５の実施形態を示す構成図である。
【０１９１】
図１６に示された、サーベイランス試験装置１０Ｄでは、サーベイランス試験制御部１２に試験実行情報保存復元部１１０および試験実行情報データベース１１１を設けた点が図１に示すサーベイランス試験装置１０と相違する。他の構成および作用については図１に示すサーベイランス試験装置１０と実質的に異ならないため同一の構成については同符号を付して説明を省略する。
【０１９２】
サーベイランス試験装置１０Ｄのサーベイランス試験制御部１２には、プロセスデータ受信部１６、プロセスデータ保存部１７、時間計測部１８、試験進行表示部１９、試験進行制御部２０、試験実行情報保存復元部１１０、試験手順データベース２１、時間計測項目データベース２２および試験実行情報データベース１１１が設けられる。
【０１９３】
サーベイランス試験制御部１２の試験進行表示部１９は、図１に示すサーベイランス試験装置１０における試験進行表示部１９の機能と同等の機能に加え、サーベイランス試験が進行中である場合において、進行中のサーベイランス試験を中断すべき旨の試験中断要求情報を試験実行情報保存復元部１１０に与える機能を有する。
【０１９４】
また、試験進行表示部１９は、オペレータからサーベイランス試験の試験選択要求情報を受けて試験実行情報保存復元部１１０に与える機能を有する。
【０１９５】
さらに、試験進行表示部１９は、試験実行情報保存復元部１１０から試験中断情報を受けた場合には、試験中断情報を表示させるとともに、オペレータから中断状態にあるサーベイランス試験の残りの作業の進行を再開すべき旨の試験再開要求情報あるいは中断状態にあるサーベイランス試験の作業を始めのステップから改めて再開すべき旨の試験新規開始要求情報を受けて試験実行情報保存復元部１１０に与える機能を有する。
【０１９６】
サーベイランス試験制御部１２の試験実行情報保存復元部１１０は、試験進行表示部１９からサーベイランス試験の試験中断要求情報を受けた場合に、試験進行制御部２０に試験中断要求情報を与えることによりサーベイランス試験を中断すべき旨の要求を通知する機能と、サーベイランス試験を中断した際の試験項目、実行中の試験範囲、試験ステップおよび既に完了した試験ステップにおける結果等の試験実行情報を試験進行制御部２０から受けて試験実行情報データベース１１１に入力する機能とを有する。
【０１９７】
また、試験実行情報保存復元部１１０は、試験進行表示部１９からサーベイランス試験の試験選択要求情報を受けた場合に、選択されたサーベイランス試験の試験実行情報が試験実行情報データベース１１１に保存されているか否かを判定し、選択されたサーベイランス試験の試験実行情報が試験実行情報データベース１１１に保存されている場合には、選択されたサーベイランス試験が中断状態である旨の試験中断情報を試験進行表示部１９に与える一方、選択されたサーベイランス試験の試験実行情報が試験実行情報データベース１１１に保存されていない場合には、サーベイランス試験の試験選択要求情報を試験進行制御部２０に与える機能を有する。
【０１９８】
さらに試験実行情報保存復元部１１０は、試験進行表示部１９から中断したサーベイランス試験の試験新規開始要求情報を受けた場合には、試験新規開始要求情報を試験進行制御部２０に与えて中断したサーベイランス試験を改めて始めのステップから開始すべき旨を通知する一方、試験進行表示部１９から試験再開要求情報を受けた場合には、試験実行情報データベース１１１から試験実行情報を入力し、入力した試験実行情報を試験再開要求情報とともに試験進行制御部２０に与えて中断したサーベイランス試験の残りの作業を再開すべき旨を通知する機能を有する。
【０１９９】
また、サーベイランス試験制御部１２の試験実行情報データベース１１１には、試験実行情報保存復元部１１０から入力された試験実行情報が保存される。
【０２００】
サーベイランス試験制御部１２の試験進行制御部２０は、図１に示すサーベイランス試験装置１０における試験進行制御部２０の機能と同等の機能に加え、試験実行情報保存復元部１１０から試験中断要求情報を受けた場合に、進行中におけるサーベイランス試験のデータ処理の進行を中断し、中断した際の試験実行情報を試験実行情報保存復元部１１０に与える機能を有する。
【０２０１】
また、試験進行制御部２０は、試験実行情報保存復元部１１０からサーベイランス試験の試験選択要求情報を受けた場合には、選択されたサーベイランス試験についての作業を開始する機能を有する。
【０２０２】
さらに、試験進行制御部２０は、試験実行情報保存復元部１１０から試験再開要求情報とともに試験実行情報を受けた場合には、試験実行情報保存復元部１１０から受けた試験実行情報に基づいて中断したサーベイランス試験の残りの作業を再開させる一方、試験実行情報保存復元部１１０から試験新規開始要求情報を受けた場合には、中断したサーベイランス試験を改めて始めのステップから開始させる機能を有する。
【０２０３】
一方、サーベイランス試験制御部１２のプロセスデータ受信部１６、プロセスデータ保存部１７、時間計測部１８、試験手順データベース２１および時間計測項目データベース２２は、それぞれ図１に示すサーベイランス試験装置１０におけるプロセスデータ受信部１６、プロセスデータ保存部１７、時間計測部１８、試験手順データベース２１および時間計測項目データベース２２と同様の機能を備える。
【０２０４】
次にサーベイランス試験装置１０Ｄの作用について説明する。
【０２０５】
図１７は、図１６に示すサーベイランス試験装置１０Ｄによりサーベイランス試験を実行する際の流れを示すフローチャートであり、図中Ｓに数字を付した符号はフローチャートの各ステップを示す。
【０２０６】
まず、ステップＳ６１において、サーベイランス試験の進行中に所要の要因によりサーベイランス試験を中断する必要が生じた場合には、オペレータにより試験進行表示部１９にサーベイランス試験の実行中断をすべき旨の試験中断要求情報が入力される。このため、試験進行表示部１９は、試験中断要求情報を試験実行情報保存復元部１１０に与える。
【０２０７】
次に、ステップＳ６２において、試験実行情報保存復元部１１０は、試験進行表示部１９からサーベイランス試験の試験中断要求情報を受けると、試験進行制御部２０に試験中断要求情報を与えることによりサーベイランス試験を中断すべき旨の要求を通知する。
【０２０８】
このため、ステップＳ６３において、試験進行制御部２０は、試験実行情報保存復元部１１０から試験中断要求情報を受けると、進行中におけるサーベイランス試験のデータ処理の進行を中断し、中断した際の試験実行情報を試験実行情報保存復元部１１０に与える。
【０２０９】
さらに、ステップＳ６４において、試験実行情報保存復元部１１０は、試験進行制御部２０から受けた試験実行情報を試験実行情報データベース１１１に入力する。
【０２１０】
この結果、サーベイランス試験の進行が中断状態となり、中断した際の試験実行情報が試験実行情報データベース１１１に保存される。さらに、試験進行表示部１９において中断状態にあるサーベイランス試験の選択を終了させて、他の中断要因のないサーベイランス試験を選択して、選択したサーベイランス試験を優先させて実行させることが可能となる。
【０２１１】
また、中断したサーベイランス試験以外の中断要因のないサーベイランス試験を実施しようとする場合には、ステップＳ６５において、オペレータが、中断要因のないサーベイランス試験の試験選択要求情報を試験進行表示部１９に入力する。
【０２１２】
このため、試験進行表示部１９は、オペレータから入力されたサーベイランス試験の試験選択要求情報を試験実行情報保存復元部１１０に与える。
【０２１３】
次に、ステップＳ６６において、試験実行情報保存復元部１１０は、試験進行表示部１９からサーベイランス試験の試験選択要求情報を受けると、試験実行情報データベース１１１を参照して選択されたサーベイランス試験の試験実行情報が試験実行情報データベース１１１に保存されているか否かを判定する。
【０２１４】
そして、ステップＳ６７において、試験実行情報データベース１１１にサーベイランス試験の試験実行情報が保存されておらず、選択されたサーベイランス試験が中断状態でない場合には、試験実行情報保存復元部１１０は、サーベイランス試験の試験選択要求情報を試験進行制御部２０に与える。
【０２１５】
このため、試験進行制御部２０がサーベイランス試験の試験選択要求情報を受けて中断状態でないサーベイランス試験の作業が開始され、サーベイランス試験の作業を進行させることができる。
【０２１６】
次に、中断状態であったサーベイランス試験の中断要因が解消し、中断状態であったサーベイランス試験を実施する場合には、再びステップＳ６５において、オペレータが試験進行表示部１９に中断したサーベイランス試験の試験選択要求情報を入力する。
【０２１７】
このため、再びステップＳ６６において、試験進行表示部１９は、オペレータから入力されたサーベイランス試験の試験選択要求情報を試験実行情報保存復元部１１０に与え、試験実行情報保存復元部１１０は、試験進行表示部１９から選択されたサーベイランス試験の試験選択要求情報を受けると、選択されたサーベイランス試験の試験実行情報が試験実行情報データベース１１１に保存されているか否かを判定する。
【０２１８】
ここで、選択されたサーベイランス試験が中断状態である場合には、試験実行情報データベース１１１にサーベイランス試験の試験実行情報が保存されているため、ステップＳ６８において、試験実行情報保存復元部１１０は、選択されたサーベイランス試験が中断状態である旨の試験中断情報を試験進行表示部１９に与える。
【０２１９】
次に、ステップＳ６９において、試験進行表示部１９は、試験実行情報保存復元部１１０から受けた試験中断情報を表示させてサーベイランス試験が中断状態である旨をオペレータに通知するとともに、中断状態にあるサーベイランス試験の残りの作業の進行を再開すべきかまたは中断状態にあるサーベイランス試験の作業を始めのステップから改めて再開すべきかの選択をガイド表示させてオペレータに要求する。
【０２２０】
そこで、ステップＳ７０において、オペレータが中断状態にあるサーベイランス試験の残りの作業の進行を再開しようとする場合には、サーベイランス試験の試験再開要求情報を試験進行表示部１９に入力する一方、サーベイランス試験の作業を始めのステップから改めて再開しようとする場合には、サーベイランス試験の試験新規開始要求情報を試験進行表示部１９に入力する。
【０２２１】
このため、試験進行表示部１９は入力されたサーベイランス試験の試験再開要求情報または試験新規開始要求情報を試験実行情報保存復元部１１０に与える。
【０２２２】
次に、ステップＳ７１において、試験実行情報保存復元部１１０は、試験進行表示部１９から受けた情報が試験再開要求情報であるか試験新規開始要求情報であるかを判定する。
【０２２３】
そして、判定の結果、試験進行表示部１９から受けた情報が試験再開要求情報である場合には、ステップＳ７２において、試験実行情報データベース１１１からサーベイランス試験を中断した際の試験実行情報を入力し、入力した試験実行情報を試験再開要求情報とともに試験進行制御部２０に与えて中断したサーベイランス試験を再開すべき旨を通知する。
【０２２４】
このため、試験進行制御部２０は、試験実行情報保存復元部１１０から試験再開要求情報および試験実行情報を受けると、試験実行情報保存復元部１１０から受けた試験実行情報に基づいて中断したサーベイランス試験を再開させる。
【０２２５】
これにより、中断状態であったサーベイランス試験の残りの作業を進行させることが可能となる。
【０２２６】
一方、ステップＳ７１における判定の結果、試験進行表示部１９から受けた情報が試験新規開始要求情報である場合には、ステップＳ７３において、試験新規開始要求情報を試験進行制御部２０に与えて中断したサーベイランス試験を改めて始めのステップから開始すべき旨を通知する。
【０２２７】
このため、試験進行制御部２０は、試験実行情報保存復元部１１０から試験新規開始要求情報を受けると、中断状態であったサーベイランス試験を改めて新規に開始させる。
【０２２８】
すなわち、サーベイランス試験装置１０Ｄは、サーベイランス試験制御部１２に、実行中のサーベイランス試験を中断した際の、試験項目、実行中の試験範囲、試験ステップおよび既に完了した試験ステップにおける結果等の試験実行情報を保存する試験実行情報データベース１１１と、試験進行表示部１９からのオペレータの要求に応じて試験実行情報データベース１１１に試験実行情報を入力し、あるいは試験実行情報データベース１１１から試験実行情報を抽出する試験実行情報保存復元部１１０を設けることにより、サーベイランス試験が中断しても、中断した際の試験実行情報に基づいて後日サーベイランス試験を再開できるように構成したものである。
【０２２９】
従来のサーベイランス試験装置１においては、サーベイランス試験の作業進行中に、種々の障害要因等の要因により実行中のサーベイランス試験を中断する必要が生じた場合には、中断したサーベイランス試験を中断状態としたまま、他のサーベイランス試験を実行することができなかった。このため、中断したサーベイランス試験以外の他のサーベイランス試験を実行するためには、一旦中断したサーベイランス試験終了させる必要が生じ、中断したサーベイランス試験の中断要因が回避された際には、残りのステップからではなく再び初期ステップからサーベイランス試験を開始することが必要であった。
【０２３０】
また、従来のサーベイランス試験装置１においては、サーベイランス試験の作業ステップが試験対象機器のヒートアップやタンク内の水量確保等の長い待ち時間を要する作業ステップである場合には、手順進行待ち状態にあるサーベイランス試験と並行して他のサーベイランス試験を実行することが不可能であり、サーベイランス試験により長い時間を必要としていた。
【０２３１】
一方、サーベイランス試験装置１０Ｄでは、サーベイランス試験の作業進行中に、種々の障害要因等の要因により実行中のサーベイランス試験が中断しても、中断した際の、試験項目、実行中の試験範囲、試験ステップおよび既に完了した試験ステップにおける結果等の試験実行情報を一時的に保存し、かつ復元することが可能であるため、サーベイランス試験の中断要因が解消するまでの間は、他のサーベイランス試験を実行することができる一方、サーベイランス試験の中断要因が解消した後は、サーベイランス試験の中断までに既に実行して得られた試験実行情報を有効活用して残ステップのみを再開させることができる。
【０２３２】
また、サーベイランス試験装置１０Ｄでは、サーベイランス試験の作業ステップが長い待ち時間を要する作業ステップである場合でも、待ち状態にあるサーベイランス試験と並行して他のサーベイランス試験を実行することができる。
【０２３３】
すなわち、サーベイランス試験装置１０Ｄでは、複数のサーベイランス試験を並行して同時進行させることが可能となって、より効率的で短時間にサーベイランス試験を実行することができる。
【０２３４】
図１８は本発明に係るサーベイランス試験装置の第６の実施形態を示す構成図である。
【０２３５】
図１８に示された、サーベイランス試験装置１０Ｅでは、サーベイランス試験制御部１２にシミュレーション操作制御部１２０を設けた点が図１に示すサーベイランス試験装置１０と相違する。他の構成および作用については図１に示すサーベイランス試験装置１０と実質的に異ならないため同一の構成については同符号を付して説明を省略する。
【０２３６】
サーベイランス試験装置１０Ｅのサーベイランス試験制御部１２には、シミュレーション操作制御部１２０が設けられる。
【０２３７】
シミュレーション操作制御部１２０は、試験手順データベース２１のサーベイランス試験手順情報に基づいて対応する試験対象機器の擬似的なプロセスデータであるシミュレーションデータをプロセスデータ受信部１６に与えることによりサーベイランス試験の各試験ステップにおけるシミュレーションを実行する機能を有する。
【０２３８】
また、シミュレーション操作制御部１２０には表示部が備えられ、シミュレーションを実行するサーベイランス試験および試験対象機器の選択をオペレータに要求することができるように構成される。
【０２３９】
次に、サーベイランス試験装置１０Ｅの作用について説明する。
【０２４０】
図１９は、図１８に示すサーベイランス試験装置１０Ｅによりサーベイランス試験を実行する際の流れを示すフローチャートであり、図中Ｓに数字を付した符号はフローチャートの各ステップを示す。
【０２４１】
例えば、試験手順データベース２１のサーベイランス試験手順情報が更新された場合や新規に作成された場合には、新たなサーベイランス試験手順情報によりサーベイランス試験を実行してもサーベイランス試験制御部１２の各部位が正常に動作するか否かあるいはプラントへの影響があるか否か等の確認をシミュレーションにより実施することが有効となる。
【０２４２】
このため、ステップＳ８１において、オペレータがシミュレーションを実行すべきサーベイランス試験の選択要求情報をシミュレーション操作制御部１２０に入力する。
【０２４３】
これにより、ステップＳ８２において、シミュレーション操作制御部１２０は、サーベイランス試験の選択要求情報が入力されると、試験手順データベース２１を参照し、対応するサーベイランス試験の対象となる試験対象機器の一覧を選択可能に表示部に表示させることにより、シミュレーションを実行する試験対象機器の選択を要求する。
【０２４４】
図２０は、図１８に示すサーベイランス試験装置１０Ｅのシミュレーション操作制御部１２０において表示される試験対象機器の選択画面の一例を示す図である。
【０２４５】
シミュレーション操作制御部１２０において表示される試験対象機器の選択画面１３０は例えば図２０に示すように構成される。
【０２４６】
すなわち、シミュレーション操作制御部１２０に表示される試験対象機器の選択画面１３０には、「操作機器」の項目１３１ａが設けられてシミュレーションを実行するサーベイランス試験の対象となる試験対象機器の一覧が選択可能に表示されるとともに、例えば「弁操作」や「ポンプ操作」等の項目１３１ｂ，１３１ｃが設けられて、選択された試験対象機器についての操作内容を設定することができるように構成される。
【０２４７】
このため、ステップＳ８３において、オペレータは、シミュレーション操作制御部１２０の試験対象機器の選択画面１３０において、試験対象機器を選択するとともに操作内容を設定する。
【０２４８】
次に、ステップＳ８４において、シミュレーション操作制御部１２０は、選択された試験対象機器が設定された操作内容で実際に動作した際と同等の擬似的なプロセスデータであるシミュレーションデータを設定し、設定されたシミュレーションデータをプロセスデータ受信部１６に与える。
【０２４９】
このとき、プロセスデータ受信部１６に与えられるシミュレーションデータは、プロセスデータ送信部１５から高速通信ネットワーク１３を介してプロセスデータ受信部１６に送信されるプロセスデータの伝送データ構成と同様の伝送データ構成とされる。
【０２５０】
このため、ステップＳ８５において、プロセスデータ受信部１６からシミュレーションデータがプロセスデータ保存部１７に入力され、プロセスデータ保存部１７に既に保存されているプロセスデータは、シミュレーションデータに更新される。
【０２５１】
この結果、ステップＳ８６において、図１に示すサーベイランス試験装置１０Ｅの場合と同様の作用によりシミュレーションデータに基づいてサーベイランス試験の試験ステップが実行され、サーベイランス試験の試験ステップをシミュレーションすることができる。
【０２５２】
すなわち、サーベイランス試験装置１０Ｅは、サーベイランス試験制御部１２にシミュレーションデータを設定してプロセスデータ受信部１６に与えるシミュレーション操作制御部１２０を設けることにより、サーベイランス試験のシミュレーションの実施を可能とした構成である。
【０２５３】
従来のサーベイランス試験装置１においては、試験手順データベース２１のサーベイランス試験手順情報が変更された際、変更後のサーベイランス試験手順情報にミス等の不適切な設定があると、サーベイランス試験の実行が継続不可能となって中断するのみならず、試験対象機器やプラント全体に影響を及ぼすリスクがあった。
【０２５４】
さらに、サーベイランス試験手順情報が不適切でありサーベイランス試験が中断した場合には、サーベイランス試験手順情報を再編集した後、再びサーベイランス試験を実行することとなり、サーベイランス試験手順情報の編集とサーベイランス試験の中断および再開を繰返し実施せざるを得ない状況となりオペレータによるサーベイランス試験手順情報の確認作業に労力を必要としていた。
【０２５５】
一方、サーベイランス試験装置１０Ｅでは、サーベイランス試験手順情報が編集されたとしても、オペレータによるシミュレーション操作制御部１２０の操作により、編集後のサーベイランス試験手順情報に基づいて任意の試験対象機器についてサーベイランス試験およびサーベイランス試験制御部１２の各部位の動作の健全性の確認を試験対象機器やプラント全体に影響を与えることなくシミュレーションにより容易に実施することができる。
【０２５６】
このため、サーベイランス試験装置１０Ｅでは、サーベイランス試験手順情報が変更された場合におけるサーベイランス試験手順情報の確認作業を低減させるとともに、サーベイランス試験手順情報の確認作業の際の試験対象機器やプラント全体への影響を回避させることができる。
【０２５７】
図２１は本発明に係るサーベイランス試験装置の第７の実施形態を示す構成図である。
【０２５８】
図２１に示された、サーベイランス試験装置１０Ｆでは、複数のサーベイランス試験制御部１２ａ，１２ｂを高速通信ネットワーク１３に接続した構成が図１に示すサーベイランス試験装置１０と相違する。他の構成および作用については図１に示すサーベイランス試験装置１０と実質的に異ならないため同一の構成については同符号を付して説明を省略する。
【０２５９】
サーベイランス試験装置１０Ｆでは、複数の例えば２つのサーベイランス試験制御部１２ａ，１２ｂが高速通信ネットワーク１３にそれぞれ接続される。
【０２６０】
各サーベイランス試験制御部１２ａ，１２ｂのプロセスデータ受信部１６には、それぞれ互いに異なるネットワークアドレスであるマルチキャストアドレスが割り当てられる一方、プロセスデータ入力装置部１１のプロセスデータ送信部１５は、複数のネットワークアドレスを指定して送信可能なマルチキャストアドレス方式の伝送データ構成でプロセスデータを各プロセスデータ受信部１６に送信する機能を備え、プロセスデータ受信部１６、プロセスデータ送信部１５および高速通信ネットワーク１３によりマルチキャスト送信方式による情報の送受信が実現される。
【０２６１】
サーベイランス試験装置１０Ｆでは、プロセスデータ入力装置部１１のプロセスデータ送信部１５から、各サーベイランス試験制御部１２ａ，１２ｂのプロセスデータ受信部１６にプロセスデータが送信される。さらに、各サーベイランス試験制御部１２ａ，１２ｂにおいて、所要のサーベイランス試験のステップがそれぞれ実行される。
【０２６２】
すなわち、サーベイランス試験装置１０Ｆは、複数のサーベイランス試験制御部１２ａ，１２ｂを高速通信ネットワーク１３に接続することにより、並行して複数のサーベイランス試験を実行できるように構成したものである。
【０２６３】
例えば原子力プラントの安全系のサーベイランス試験においては、サーベイランス試験の実行中の試験対象機器が他の試験対象機器やプラントに影響を及ぼすのを回避させるため、あるいは複数のサーベイランス試験を並行させて実行させると誤操作や誤試験が生じる恐れがあるため、単一のサーベイランス試験のみを進行させていた。
【０２６４】
しかし、実際には、サーベイランス試験の実行による他の試験対象機器やプラントへの影響がなければ、試験対象機器の特性上同時に並行してサーベイランス試験を進行させることが可能であるものが多く存在し、誤操作や誤試験を回避させて並行して複数のサーベイランス試験を進行させることが可能なサーベイランス試験装置の構築が望まれた。
【０２６５】
サーベイランス試験装置１０Ｆでは、各サーベイランス試験制御部１２ａ，１２ｂにおいて、単一のサーベイランス試験のみをそれぞれ進行しつつ、サーベイランス試験装置１０Ｆ全体としては複数のサーベイランス試験を並行して進行させることができるため、試験対象機器の誤操作や誤試験を回避させるとともにサーベイランス試験に要する時間を短縮させてサーベイランス試験をより効率的に実行させることができる。
【０２６６】
図２２は本発明に係るサーベイランス試験装置の第８の実施形態を示す構成図である。
【０２６７】
図２２に示された、サーベイランス試験装置１０Ｇでは、複数のサーベイランス試験制御部１２ａ，１２ｂに同時進行判定部１４０ａ，１４０ｂとインターロック情報データベース１４１ａ，１４１ｂとをそれぞれ設けた構成が図２１に示すサーベイランス試験装置１０Ｆと相違する。他の構成および作用については図２１に示すサーベイランス試験装置１０Ｆと実質的に異ならないため同一の構成については同符号を付して説明を省略する。
【０２６８】
サーベイランス試験装置１０Ｇの各サーベイランス試験制御部１２ａ，１２ｂには、同時進行判定部１４０ａ，１４０ｂとインターロック情報データベース１４１ａ，１４１ｂとがそれぞれ設けられる。
【０２６９】
サーベイランス試験制御部１２ａ，１２ｂの各インターロック情報データベース１４１ａ，１４１ｂには、各サーベイランス試験制御部１２ａ，１２ｂにおいて並行してサーベイランス試験を実行する場合に、同時に試験ステップを進行させることが可能な試験対象機器のリストに相当するインターロック情報が予め保存される。
【０２７０】
図２３は、図２２に示すサーベイランス試験装置１０Ｇのインターロック情報データベース１４１ａ，１４１ｂに保存されるインターロック情報の一例を説明する図である。
【０２７１】
図２３に示すようにインターロック情報データベース１４１ａ，１４１ｂのインターロック情報１５０は例えば表により説明することが可能であり、ある１つのサーベイランス試験制御部１２ａにおけるサーベイランス試験で動作させる試験対象機器のリストが行方向に表示される一方、他のサーベイランス試験制御部１２ｂにおけるサーベイランス試験で動作させる試験対象機器のリストが列方向に表示される。
【０２７２】
図２３に示すインターロック情報１５０では、２つのサーベイランス試験制御部１２ａ，１２ｂにおける各サーベイランス試験で動作させる試験対象機器はＨＰＣＳ、ＬＰＣＳ、ＲＨＲＡ、ＲＨＲＢ、ＲＨＲＣおよびＲＣＩＣの６種類あることが分かる。
【０２７３】
そして、２つのサーベイランス試験制御部１２ａ，１２ｂで並行してサーベイランス試験を実行する場合に、同時に試験ステップを進行させることが可能な試験対象機器の組合せである場合には対応する欄に○印が表示される一方、同時に試験ステップを進行させることができない場合には対応する欄に×印が表示される。
【０２７４】
例えば、図２３のインターロック情報１５０の表によれば列がＨＰＣＳで行がＬＰＣＳの欄には○印が表示されているため、一方のサーベイランス試験制御部１２ａのサーベイランス試験においてＨＰＣＳを動作させて試験ステップを進行させていても同時に他方のサーベイランス試験制御部１２ｂのサーベイランス試験においてＬＰＣＳを動作させて試験ステップを進行させることが可能であることが分かる。
【０２７５】
同様に例えば、列がＨＰＣＳで行がＲＨＲＡの欄には×印が表示されているため、一方のサーベイランス試験制御部１２ａのサーベイランス試験においてＨＰＣＳを動作させて試験ステップを進行させている場合、他方のサーベイランス試験制御部１２ｂのサーベイランス試験においてＲＨＲＡを動作させて試験ステップを進行させることはできないということが分かる。
【０２７６】
尚、図２３のインターロック情報１５０において、行と列を置き換えてもよい。
【０２７７】
一方、サーベイランス試験制御部１２ａ，１２ｂの同時進行判定部１４０ａ，１４０ｂは、サーベイランス試験を実行するために試験対象機器の動作開始を要求する旨の機器動作開始要求情報を試験進行表示部１９から受けると、他のサーベイランス試験制御部１２ｂ，１２ａの同時進行判定部１４０ｂ，１４０ａに対し、他のサーベイランス試験制御部１２ｂ、１２ａにおいてサーベイランス試験の対象となっている試験対象機器についての試験状況情報の提供を高速通信ネットワーク１３を介して要求する機能をそれぞれ有する。
【０２７８】
さらに、同時進行判定部１４０ａ，１４０ｂは、他のサーベイランス試験制御部１２ｂ，１２ａの同時進行判定部１４０ｂ，１４０ａから高速通信ネットワーク１３を介して試験状況情報を受信する一方、他のサーベイランス試験制御部１２ｂ，１２ａの同時進行判定部１４０ｂ，１４０ａから試験対象機器についての試験状況情報の提供を要求された場合には、試験状況情報を作成して当該同時進行判定部１４０ｂ，１４０ａに送信する機能を有する。
【０２７９】
図２４は、図２２に示すサーベイランス試験装置１０Ｇの同時進行判定部１４０ａ，１４０ｂにより作成される試験状況情報の一例を説明する図である。
【０２８０】
同時進行判定部１４０ａ，１４０ｂにより作成される試験状況情報１６０は、例えば表により説明することが可能であり、サーベイランス試験の対象となっている試験対象機器が実行中であるか未実行状態のであるかが０と１の２進数により示される。
【０２８１】
例えば、図２４の例に示す試験状況情報１６０を作成した同時進行判定部１４０ａが属するサーベイランス試験制御部１２ａでは、ＬＰＣＳが実行中であることが分かる。
【０２８２】
また、同時進行判定部１４０ａ，１４０ｂは、インターロック情報データベース１４１ａ，１４１ｂのインターロック情報１５０を参照するとともに他の同時進行判定部１４０ｂ，１４０ａから受信した試験状況情報１６０に基づいて、試験進行表示部１９から受けた機器動作開始要求情報に対応する試験対象機器の動作を開始させてサーベイランス試験を他のサーベイランス試験制御部１２ｂ，１２ａのサーベイランス試験と並行して進行させることができるか否かを判定する機能と、判定の結果、試験対象機器の動作を開始させることができる場合には、試験進行表示部１９に試験対象機器の動作を開始させることができる旨を通知してサーベイランス試験を進行させる一方、試験対象機器の動作を開始させることができない場合には、試験進行表示部１９に試験対象機器の動作を開始させることができない旨を通知してサーベイランス試験の進行を停止させる機能を有する。
【０２８３】
次に、サーベイランス試験装置１０Ｇの作用について説明する。
【０２８４】
図２５は、図２２に示すサーベイランス試験装置１０Ｇによりサーベイランス試験を実行する際の流れを示すフローチャートであり、図中Ｓに数字を付した符号はフローチャートの各ステップを示す。
【０２８５】
まず、ステップＳ９１において、オペレータは、サーベイランス試験を進行させるために、ある１つのサーベイランス試験制御部１２ａの試験進行表示部１９に例えば試験対象機器の１つであるＨＰＣＳの動作開始を要求する旨の機器動作開始要求情報を入力する。
【０２８６】
このため、ステップＳ９２において、試験進行表示部１９は、入力されたＨＰＣＳの機器動作開始要求情報を同時進行判定部１４０ａに与える。
【０２８７】
次に、ステップＳ９３において、同時進行判定部１４０ａは、試験進行表示部１９からＨＰＣＳの機器動作開始要求情報を受けると、他のサーベイランス試験制御部１２ｂの同時進行判定部１４０ｂに対し、他のサーベイランス試験制御部１２ｂにおいてサーベイランス試験の対象となっている試験対象機器についての試験状況情報１６０の提供を高速通信ネットワーク１３を介して要求する。
【０２８８】
このため、ステップＳ９４において、他のサーベイランス試験制御部１２ｂの同時進行判定部１４０ｂから他のサーベイランス試験制御部１２ｂにおける試験状況情報１６０が高速通信ネットワーク１３を介して送信される。
【０２８９】
次に、ステップＳ９５において、同時進行判定部１４０ａは、送信された試験状況情報１６０を受信して、インターロック情報データベース１４１ａのインターロック情報１５０を参照する。
【０２９０】
そして、ステップＳ９６において、同時進行判定部１４０ａは、インターロック情報データベース１４１ａのインターロック情報１５０に基づいて試験進行表示部１９から受けた機器動作開始要求情報に対応する試験対象機器の動作を開始させることができるか否かを判定する。
【０２９１】
例えば、他の同時進行判定部１４０ｂから送信された試験状況情報１６０が図２４に示すようにＬＰＣＳのみが実行中である旨の情報である場合において、インターロック情報１５０が図２３に示す情報である場合には、動作の開始可能な試験対象機器は、ＨＰＣＳとＲＣＩＣのみである。
【０２９２】
ここで、試験進行表示部１９から受けた機器動作開始要求情報は、ＨＰＣＳに対するものであるため、同時進行判定部１４０ａは、ＨＰＣＳの動作を開始させることができると判定する。
【０２９３】
このため、ステップＳ９７において、同時進行判定部１４０ａは、試験進行表示部１９にＨＰＣＳの動作を開始させることができる旨を通知し、オペレータはサーベイランス試験を進行させることができる。この結果、各サーベイランス試験制御部１２ａ，１２ｂにおいて、並行して複数のサーベイランス試験が実行される。
【０２９４】
一方、ステップＳ９６の判定において、試験対象機器の動作を開始させることができないと判定した場合には、ステップＳ９８において、同時進行判定部１４０ａは、試験進行表示部１９に試験対象機器の動作を開始させることができない旨を通知してサーベイランス試験の進行を停止させる。そして、再びステップＳ９３において、同時進行判定部１４０ａは、他のサーベイランス試験制御部１２ｂの同時進行判定部１４０ｂに対し、試験対象機器についての試験状況情報１６０の提供を高速通信ネットワーク１３を介して要求する。
【０２９５】
すなわちサーベイランス試験装置１０Ｇは、試験対象機器を同時に動作させることが可能か否かを判定する同時進行判定部１４０ａ，１４０ｂを各サーベイランス試験制御部１２ａ，１２ｂにそれぞれ設けて、各同時進行判定部１４０ａ，１４０ｂ間で高速通信ネットワーク１３を介して互いに情報を送受信させることで、複数のサーベイランス試験制御部１２ａ，１２ｂにおいて同時に異なるサーベイランス試験が実行できるようにしたものである。
【０２９６】
従来のサーベイランス試験装置１では、複数のサーベイランス試験を実行する際、試験対象機器を動作させると他の試験対象機器と干渉する恐れがあるため、オペレータが試験対象機器の動作状況を十分に確認する必要が生じる一方、確認が不適切な状態で複数のサーベイランス試験を同時進行させるとプラントに不具合を発生させる恐れがあった。
【０２９７】
サーベイランス試験装置１０Ｇでは、複数のサーベイランス試験制御部１２ａ，１２ｂにおいて、それぞれ異なるサーベイランス試験を同時進行させることができるため、サーベイランス試験に要する時間を短縮させることができる。
【０２９８】
また、試験対象機器の動作状況を自動的かつ容易に実施できるため、試験対象機器の動作状況についての管理労力を低減させてサーベイランス試験作業の効率化が可能となるのみならず、不適切な状態における複数のサーベイランス試験の同時進行に伴う試験対象機器同士の干渉を回避させることができる。
【０２９９】
尚、各実施形態におけるサーベイランス試験装置１０、１０Ａ，１０Ｂ，１０Ｃ，１０Ｄ，１０Ｅ，１０Ｆ，１０Ｇを複合的に構成してもよい。例えば、サーベイランス試験装置１０Ａのサーベイランス試験制御部１２に試験手順編集部６０およびシミュレーション操作制御部１２０を設けてもよい。
【０３００】
【発明の効果】
本発明に係るサーベイランス試験装置およびサーベイランス試験方法においては、原子力発電所等のプラントで実施されるサーベイランス試験において、試験対象機器の時間計測データの計測精度を低下させることなく、より簡易な構成で安価にサーベイランス試験を行うことができる。
【図面の簡単な説明】
【図１】本発明に係るサーベイランス試験装置の第１の実施形態を示す構成図。
【図２】図１に示すサーベイランス試験装置によりサーベイランス試験を実行する際の流れを示すフローチャート。
【図３】図１に示す試験手順データベースに保存されるサーベイランス試験手順情報の一例を示す図。
【図４】図１に示す時間計測部において試験対象機器の時間計測処理を実行する際の計測論理の一例を示す図。
【図５】図４に示す時間計測部による試験対象機器の時間計測処理における計測論理に対する計測アルゴリズムの一例を示すフローチャート。
【図６】本発明に係るサーベイランス試験装置の第２の実施形態を示す構成図。
【図７】図６に示すサーベイランス試験装置によりサーベイランス試験を実行する際の流れを示すフローチャート。
【図８】本発明に係るサーベイランス試験装置の第３の実施形態を示す構成図。
【図９】図８に示すサーベイランス試験装置によりサーベイランス試験を実行する際の流れを示すフローチャート。
【図１０】本発明に係るサーベイランス試験装置の第４の実施形態を示す構成図。
【図１１】図１０に示すサーベイランス試験装置によりサーベイランス試験を実行する際の流れを示すフローチャート。
【図１２】図１０に示す試験手順編集部から試験進行表示部を介して表示される試験手順編集メニュー画面の一例を示す図。
【図１３】図１２に示す試験手順編集メニュー画面において、選択された系統、試験名および試験範囲に対する手順編集画面の一例を示す図。
【図１４】図１３に示すサーベイランス試験手順情報の手順編集画面において選択された手順の手順詳細情報編集画面の一例を示す図。
【図１５】図１２に示す試験手順編集メニュー画面において、選択された系統に対する機器編集画面の一例を示す図。
【図１６】本発明に係るサーベイランス試験装置の第５の実施形態を示す構成図。
【図１７】図１６に示すサーベイランス試験装置によりサーベイランス試験を実行する際の流れを示すフローチャート。
【図１８】本発明に係るサーベイランス試験装置の第６の実施形態を示す構成図。
【図１９】図１８に示すサーベイランス試験装置によりサーベイランス試験を実行する際の流れを示すフローチャート。
【図２０】図１８に示すサーベイランス試験装置のシミュレーション操作制御部において表示される試験対象機器の選択画面の一例を示す図。
【図２１】本発明に係るサーベイランス試験装置の第７の実施形態を示す構成図。
【図２２】本発明に係るサーベイランス試験装置の第８の実施形態を示す構成図。
【図２３】図２２に示すサーベイランス試験装置のインターロック情報データベースに保存されるインターロック情報の一例を説明する図。
【図２４】図２２に示すサーベイランス試験装置の同時進行判定部により作成される試験状況情報の一例を説明する図。
【図２５】図２２に示すサーベイランス試験装置によりサーベイランス試験を実行する際の流れを示すフローチャート。
【図２６】従来のサーベイランス試験装置の構成図。
【符号の説明】
１０，１０Ａ，１０Ｂ，１０Ｃ，１０Ｄ，１０Ｅ，１０Ｆ，１０Ｇ  サーベイランス試験装置
１１  プロセスデータ入力装置部
１２，１２ａ，１２ｂ  サーベイランス試験制御部
１３  高速通信ネットワーク
１４  プロセスデータ入力部
１５  プロセスデータ送信部
１６  プロセスデータ受信部
１７  プロセスデータ保存部
１８  時間計測部
１９  試験進行表示部
２０  試験進行制御部
２１  試験手順データベース
２２，２２ａ，２２ｂ  時間計測項目データベース
２３  プラントセンサ
３０  サーベイランス試験手順情報
３１  サブ試験手順情報
３２  矢印記号
４０  時間計測データ保存部
４１  時間計測データ取出部
４２  汎用ネットワーク
４３  データ送信部
４４  データ受信部
５０  時間計測項目送信部
５１  データ送受信部
５２  データ送受信部
６０  試験手順編集部
７０  試験手順編集メニュー画面
７１ａ，７１ｂ，７１ｃ  領域
７２  試験手順編集ボタン
７３  機器情報編集ボタン
８０  手順編集画面
８１  手順追加ボタン
８２  手順削除ボタン
８３  手順変更ボタン
８４  手順コピーボタン
８５  手順貼付けボタン
８６  手順編集ボタン
８７  設定ボタン
８８  キャンセルボタン
９０  手順詳細情報編集画面
１００  機器編集画面
１１０  試験実行情報保存復元部
１１１  試験実行情報データベース
１２０  シミュレーション操作制御部
１３０  選択画面
１３１ａ，１３１ｂ，１３１ｃ  項目
１４０ａ，１４０ｂ  同時進行判定部
１４１ａ，１４１ｂ  インターロック情報データベース
１５０  インターロック情報
１６０  試験状況情報
【図１】
2005025631.tif 000003
【図２】
2005025631.tif 000004
【図３】
2005025631.tif 000005
【図４】
2005025631.tif 000006
【図５】
2005025631.tif 000007
【図６】
2005025631.tif 000008
【図７】
2005025631.tif 000009
【図８】
2005025631.tif 000010
【図９】
2005025631.tif 000011
【図１０】
2005025631.tif 000012
【図１１】
2005025631.tif 000013
【図１２】
2005025631.tif 000014
【図１３】
2005025631.tif 000015
【図１４】
2005025631.tif 000016
【図１５】
2005025631.tif 000017
【図１６】
2005025631.tif 000018
【図１７】
2005025631.tif 000019
【図１８】
2005025631.tif 000020
【図１９】
2005025631.tif 000021
【図２０】
2005025631.tif 000022
【図２１】
2005025631.tif 000023
【図２２】
2005025631.tif 000024
【図２３】
2005025631.tif 000025
【図２４】
2005025631.tif 000026
【図２５】
2005025631.tif 000027
【図２６】
2005025631.tif 000028